(57)【要約】【課題】  （９×１０９）１／２×ｑ÷軌道は何を意味するか。ミクロの軌道エネルギーとマクロの軌道エネルギーの関係はどうであるか。【解決手段】ミクロの軌道エネルギーの本質を知る。１Ａに流れる磁気の光子の数から、マクロの軌道エネルギーが何個の磁気の光子でできているかを知る。磁気の光子が走ることによって、磁気の光子のエネルギーはどのように変わるかを知る。この事によって、出発した磁気の光子のエネルギーと走った時間と距離と到着した磁気の光子のエネルギーの関係から、宇宙のクエーサーや銀河や星やブラックホールから出発した磁気の光子の軌道エネルギーを理解する。磁気の光子の軌道を宇宙のマクロの軌道であると理解し、宇宙の軌道がどのようであるかを理解する。そして、宇宙のマクロの軌道×エネルギーは一定であることを理解する。ミクロの場合も、マクロの場合も軌道×エネルギーは一定である。【選択図】図１１
2004166499.tif 000002
【特許請求の範囲】
【請求項１】
光子の運動は３つの状態に分類される。
１つは回転している状態。１つは導線を走る状態。１つは空中を走る状態である。
回転している状態のとき、光子は自分のエネルギーの軌道を回転している。
導線を走るとき、磁気の光子はエネルギーを作って走る。そのエネルギーを外に出す。
空中を走るとき、光子は自分のエネルギーを減少させて、自分の軌道エネルギーをマクロの軌道エネルギーに合わせて、自分を移動させる。光子が走る現象は自分の軌道を、マクロの軌道に適応させる現象である。
【請求項２】
磁気の光子は１個で、軌道を１回転するとき、どれだけの仕事をし、どれだけのエネルギーを作るか。
磁気の光子のエネルギー＝１．１×１０−４１Ｊ・ｍ÷軌道  の仕事をする。
磁気の光子のエネルギー＝１．１×１０−４１Ｊ・ｍ÷軌道  のエネルギーを作る。
【請求項３】
プランク定数ｈは何を意味しているか。
プランク定数ｈは磁気の光子が１回転してできるエネルギーである。又は、１波長走ってできるエネルギーである。
その軌道は、１．１×１０−４１Ｊ・ｍ÷（６．６２０６８７６×１０−３４Ｊ）＝１．６６１４５８×１０−８ｍである。
即ち、プランク定数は、磁気の光子が１．６６１４５８×１０−８ｍの軌道を１回転するエネルギーである。又は、プランク定数は１．６６１４５８×１０−８×２の波長が１波長走るエネルギーである。
【請求項４】
陽子の磁気モーメントとは何か。
陽子の磁気モーメントとは、陽子のラブが回転する周囲をクロス回転する磁気の光子が、１個、１回転してできる（作る）エネルギーである。
この磁気の光子の軌道は、１．１×１０−４１Ｊ・ｍ÷（１．４１０６０６６３３×１０−２６Ｊ）＝７．７９８０６５×１０−１６ｍである。この軌道の大きさの２倍が陽子の大きさである。
陽子の大きさは、７．７９８０６５×１０−１６ｍ×２＝１．５５９６１３×１０−１５ｍである。
【請求項５】
中性子の磁気モーメントとは何か。
中性子の磁気モーメントとは、陽子のラブが回転する周囲をクロス回転する磁気の光子が、１個、１回転してできる（作る）エネルギーである。
この磁気の光子の軌道は、１．１×１０−４１Ｊ・ｍ÷（９．６６２３６４×１０−２７Ｊ）＝１．１３８４３７７×１０−１５ｍである。この軌道の大きさの２倍が中性子の大きさである。
中性子の大きさは、１．１３８４３７７×１０−１５ｍ×２＝２．２７６８７５４×１０−１５ｍである。
【請求項６】
電気の光子は１個で、軌道を１回転するとき、どれだけの仕事をし、どれだけのエネルギーを作るか。
電気の光子は軌道を１回転するとき、
電気の光子の軌道エネルギー＝０．７５×１０−２５Ｊ・ｍ÷軌道  の仕事をし、エネルギーを作る。
【請求項７】
磁気の光子は導体を、１波長走るとき、どれだけエネルギーを作るか。
磁気の光子は１波長走るとき、１．１×１０−４１Ｊ・ｍ÷（波長÷２）のエネルギーを作る。
この作ったエネルギーが導体の外に出て、力になる。力は引力になる。
【請求項８】
電気の光子が導体を１波長走るときどれだけエネルギーを作るか。
電気の光子のエネルギー＝０．７５×１０−２５Ｊ・ｍ÷（波長÷２）のエネルギーを作る。
【請求項９】
磁気の光子の軌道エネルギーは何を意味するか。磁気の光子の質量エネルギーはどのようであるか。
磁気の光子のエネルギーは磁気の光子の質量エネルギーである。
磁気の光子の質量エネルギーは磁気の光子が軌道を１回転するエネルギーである。
磁気の光子の質量エネルギーは磁気の光子が１波長走るエネルギーである。
即ち、磁気の光子の質量エネルギーは一定ではない。
磁気の光子の質量エネルギーは変化する。
磁気の光子の軌道により異なる。
磁気の光子の質量エネルギーは、１．１×１０−４１Ｊ・ｍ÷軌道×６．２４×１０１８ｅＶである。
磁気の光子の波長により異なる。
磁気の光子の質量エネルギーは、１．１×１０−４１Ｊ・ｍ÷（波長÷２）×６．２４×１０１８ｅＶである。
磁気の光子は自分の質量エネルギーの軌道を回転している。
自分の質量エネルギーが減少すると磁気の光子は回転する軌道を大きくする。
磁気の光子の質量エネルギーは軌道に現れる。
磁気の光子の質量エネルギーは波長に現れる。
波長÷２＝軌道である。磁気の光子は半回転しながら進む。
磁気の光子は走って自分のエネルギーを減少し、波長を長くする。
磁気の光子は、１秒間に３×１０８ｍ走るので、１個で、３×１０８ｍ÷波長×１．１×１０−４１Ｊ・ｍ÷（波長÷２）＝６．６×１０−３３Ｊ÷波長２＝６．６×１０−３３Ｊ÷（２×軌道）２＝１．６５×１０−３３Ｊ÷軌道２のエネルギーを作る。
【請求項１０】
電気の光子の質量エネルギーはどのようであるか。
電気の光子の質量エネルギーも磁気の光子と同様である。
電気の光子のエネルギーは電気の光子の質量エネルギーである。
電気の光子の質量エネルギーは電気の光子が１個で、軌道を１回転するエネルギーである。
電気の光子の質量エネルギーは電気の光子が１波長走るエネルギーである。
電気の光子の質量エネルギーは一定ではなく変化する。
電気の光子の質量エネルギーは回転する軌道により異なる。
電気の光子の質量エネルギーは、０．７５×１０−２５Ｊ・ｍ÷軌道×６．２４×１０１８ｅＶである。
電気の光子の質量エネルギーは波長により異なる。
電気の光子の質量エネルギーは、０．７５×１０−２５Ｊ・ｍ÷（波長÷２）×６．２４×１０１８ｅＶである。
【請求項１１】
ミクロの場合、磁気の光子の質量エネルギーは軌道が大きくなるとどのように変わるか。
磁気の光子の質量エネルギーは軌道の大きさの変化によって変わる。
例えば、軌道の大きさがｋ１からｋ２になった場合、磁気の光子の質量エネルギーの変化は、１．１×１０−４１Ｊ・ｍ÷（ｋ１−ｋ２）である。
例えば、波長の大きさがｋ１からｋ２になった場合、磁気の光子の質量エネルギーの変化は、１．１×１０−４１Ｊ・ｍ÷（ｋ１／２−ｋ２／２）である。
【請求項１２】
マクロの場合、磁気の光子の質量エネルギーは軌道が大きくなるとどのように変わるか。マクロの場合の軌道エネルギーはどうであるか。
マクロの場合、複数個の磁気の光子で考える。個数については
【請求項１４】
と
【請求項１５】
に記す。
９．４８７×１０４Ｊの磁気の光子のエネルギーは軌道が１０−９ｍの場合、約１０１９個の磁気の光子のエネルギーである。
１個の磁気の光子のエネルギーをＡＪとする。
磁気のエネルギーの合計は、Ａ×９．４８７×１０４Ｊであり、
マクロの磁気の光子の軌道エネルギー＝Ａ×９．４８７×１０４Ｊ・ｍ÷マクロの軌道  である。
マクロの軌道は▲１▼と▲２▼に考えられる。
▲１▼は、磁気の光子の軌道エネルギーは、Ａ×９．４８７×１０４Ｊ・ｍ÷軌道  であると考える。
▲２▼は、磁気の光子の軌道エネルギーは、Ａ×９．４８７×１０４Ｊ・ｍ÷距離  であると考える。
▲１▼は、軌道を磁気の光子が走って大きくなる距離×２とみなす。
▲２▼は、軌道を磁気の光子が走って大きくなる距離とみなす。
マクロの場合、軌道をマクロの軌道と名付ける。
ミクロの軌道である磁気の光子の軌道と区別するためである。
▲１▼マクロの軌道＝走る距離×２と考える場合。
走って距離が長くなると、マクロの軌道は大きくなり、磁気の光子の質量エネルギーは減少する。
ｔ秒走ると、マクロの軌道は、３×１０８×ｔ×２になる。
磁気のエネルギーをＡとすると、
マクロの軌道エネルギーは、
（９×１０９）１／２Ｊ・ｍ×Ａ÷（軌道）＝９．４８７×１０４Ｊ・ｍ×Ａ÷（走った距離×２）である。
ｔ秒走ると、磁気の光子の軌道エネルギーは、
（９×１０９）１／２Ｊ・ｍ×Ａ÷（３×１０８ｍ×２）＝Ａ×１．５８×１０−４÷ｔ  Ｊに変わる。
Ｔ光年走ると、磁気の光子の軌道エネルギーは、
（９×１０９）１／２Ａ÷（３×１０８×３６５×２４×６０×６０×Ｔ×２ｍ）＝Ａ×５×１０−１２÷Ｔ  Ｊに変わる。
軌道エネルギー×走った距離×２＝Ａ×９．４８７×１０４Ｊ・ｍである。
磁気の光子の軌道エネルギーは磁気の光子の質量エネルギーである。
マクロの軌道は磁気の光子の軌道ではない。
磁気の光子の軌道＝１．１×１０−４１÷磁気の光子のエネルギーである。
磁気の光子の軌道エネルギー＝磁気の光子の質量エネルギー＝Ａ×９．４７８×１０４Ｊ÷（走った距離×２）である。
この理由で、磁気の光子は走った距離だけ質量エネルギーを減少させる。
又、電気の光子も走った距離だけ質量エネルギーを減少させる。
即ち、磁気の光子は走って自分の質量エネルギーを減少させ、自分と同じ質量エネルギーの軌道に進む。
磁気の光子が走るということは、自分の質量エネルギーの軌道に進むということである。
磁気の光子が走るということは、磁気の光子は自分の質量エネルギーを減らし、自分の質量エネルギーにあった軌道に進む、ということである。
これは、マクロの場合もミクロの場合も同じである。
ミクロの場合は、磁気の光子であるＸ線がエネルギーを放出し、外側の軌道に進むことである。
又、電子のラブが外側に光子を付加し、低エネルギー密度となり、低エネルギーの軌道である外側の殻に進むことである。
▲２▼マクロの軌道＝走る距離  として考える場合。
軌道エネルギー＝９．４８７×１０４Ｊ・ｍ×Ａ÷距離  である。
ｔ秒走ると、
軌道エネルギー＝９．４８７×１０４Ｊ・ｍ×Ａ÷（３×１０８×ｔ）ｍ＝Ａ×３．１６×１０−４Ｊ÷ｔになる。
Ｔ光年走ると、
軌道エネルギー＝９．４８７×１０４Ｊ・ｍ×Ａ÷（３×１０８×３６５×２４×６０×６０×Ｔ）ｍ＝Ａ×１０−１１Ｊ÷Ｔになる。
この方法で考えるほうが、磁気の光子は自分のエネルギーを減らしながら走っていることを理解しやすい。
しかし、宇宙を軌道として考える場合は、▲１▼として考えると理解しやすい。
【請求項１３】
導体を自由電子が走るとき、電気の光子とラブ、そして磁気の光子は、どのように走るか。
電子の光子とラブは電流の流れる方向にらせん状に走る。バネを伸ばした形で走る。磁気の光子は電流に垂直にらせん状に走る。バネを伸ばした形で走る。
【請求項１４】
１Ａの電流にはどれ位の磁気の光子が導体を走っているか。
磁気の光子の軌道をｙｍとする。
１個の磁気の光子が導体を走るとき、１ｍ間で作るエネルギーの合計は、
１個の磁気の光子が１回転（＝１波長）で作るエネルギー×１ｍ間の回転数である。
１個の磁気の光子が１回転（＝１波長）で作るエネルギーは、１．１×１０−４１Ｊ・ｍ÷ｙｍである。
１個の磁気の光子は１ｍ間に、１ｍ÷（２×ｙｍ）回、回転する。
それで、
１個の磁気の光子が１回転（＝１波長）で作るエネルギー×１ｍ間の回転数
＝１．１×１０−４１Ｊ・ｍ÷ｙｍ×｛１ｍ÷（２×ｙｍ）｝＝０．５５×１０−４１Ｊ÷ｙ２
１個の磁気の光子が１ｍ間で作る磁気の光子のエネルギーは、０．５５×１０−４１Ｊ÷ｙ２である。
１Ａの電流で、１本の導体１ｍにできるエネルギーは、４．４７２×１０−４Ｊであるから、これは何個の磁気の光子のエネルギーであるか。
４．４７２×１０−４Ｊ÷（０．５５×１０−４１Ｊ÷ｙ２）＝８．１３×１０３７×ｙ２（個）である。
ｙ＝１０−１０ｍの場合、８．１３×１０３７×１０−２０＝８．１３×１０１７  個である。
ｙ＝１０−９ｍの場合、８．１３×１０３７×１０−１８＝８．１３×１０１９  個である。
【請求項１５】
１クーロンの電荷にはどれ位の磁気の光子が導体を走っているか。
１個の磁気の光子が導体を走るとき、１秒間に作るエネルギーの合計は、
１個の磁気の光子が１回転で作るエネルギー×１秒間の回転数  である。
１個の磁気の光子が１回転で作るエネルギーは、１．１×１０−４１Ｊ・ｍ÷ｙｍである。
１秒間の回転数は、３×１０８ｍ÷（２×ｙｍ）である。
それで、
１個の磁気の光子が１秒間に作るエネルギーは、
１．１×１０−４１Ｊ・ｍ÷ｙｍ×３×１０８ｍ÷（２×ｙｍ）＝１．６５×１０−３３Ｊ÷ｙ２である。
ｘ個の磁気の光子が１秒間回転すると（９×１０９）１／２Ｊ＝９．４８７×１０４Ｊのエネルギーができるとする。
１．６５×１０−３３Ｊ÷ｙ２×ｘ＝９．４８７×１０４Ｊ  ｘ＝５．７５×１０３７×ｙ２である。
ｙｍが１０−１０ｍの場合、ｘ＝５．７５×１０−３７×１０−２０＝５．７５×１０１７個である。
ｙｍが１０−９ｍの場合、ｘ＝５．７５×１０−３７×１０−１８＝５．７５×１０１９個である。
【請求項１６】
磁気の光子は導体を走るとき、１秒間に１個で、１．６５×１０−３３Ｊ÷軌道２のエネルギーを作り、１クーロンで１．６５×１０−３７Ｊ÷軌道２×磁気の光子の数  のエネルギーを力として外に出している。このことは何を意味するか。
このことは、磁気の光子は作ったエネルギーを外に出しているということである。
磁気の光子は走ってエネルギーを作り、そのエネルギーを外に出している。。
このエネルギーが力である。このエネルギーが引力である。
【請求項１７】
発色メカニズムはどのようになっているか。
▲１▼分子の周囲を磁気の光子が回転している。発色する波長の１／２である軌道の磁気の光子が分子の外側を回転している。
▲２▼発色する波長より小さな波長の磁気の光子が、分子の中に吸収される。
▲３▼分子内に吸収された磁気の光子は分子内を回転する。次々磁気の光子は吸収される。
▲４▼それで、分子の外側の磁気の光子が排斥され、放出する。
▲５▼放出した磁気の光子が目の分子に吸収される。それが排斥され放出し、神経を走る。
▲６▼神経を走り、それから脳の発色細胞の発色分子に吸収される。
▲７▼磁気の光子を吸収した発色分子はピカピカする、これが発色である。
【請求項１８】
星が肉眼で見える場合、星から出発した磁気の光子のエネルギーはどのように求められるか。
大きいエネルギーである３．３×１０−７ｍの可視光が到着すると考える。この軌道は１．６５×１０−７ｍであり、エネルギーは６．６×１０−３５Ｊである。
星から出発する磁気の光子のエネルギーは走って、自分の質量エネルギーを減少する。
ｔ秒走ると軌道は、ｔ×３×１０８×２ｍになるので、出発した磁気の光子のエネルギーは、
Ａ×（９×１０９）１／２Ｊ÷（距離×２）＝Ａ×９．４８７×１０４Ｊ÷（ｔ×３×１０８×２）＝Ａ×１．５８×１０−４Ｊ÷ｔ  になる。
この磁気の光子のエネルギーは到着するエネルギーであるから、
Ａ×１．５８×１０−４Ｊ÷ｔ＝６．６×１０−３５Ｊ  Ａ＝４．１８×１０−３１Ｊ×ｔで求められる。
Ｔ年走ると軌道は、Ｔ×３６５×２４×６０×６０×３×１０８×２ｍになるから、出発した磁気の光子のエネルギーは、
Ａ×（９×１０９）１／２Ｊ・ｍ÷（距離×２）＝Ａ×９．４８７×１０４Ｊ・ｍ÷（Ｔ×３６５×２４×６０×６０×３×１０８×２ｍ）＝Ａ×５×１０−１２Ｊ÷Ｔ  になる。
この磁気の光子のエネルギーは到着するエネルギーであるから、
Ａ×５×１０−１２Ｊ÷Ｔ＝６．６×１０−３５Ｊ  Ａ＝１．３２×１０−２３Ｊ×Ｔ  で求められる。
Ａが走っている間に減少したエネルギーは伝播するために使われる。
【請求項１９】
倍率がＫ倍である望遠鏡で見える場合、星から出発した磁気の光子のエネルギーはどのように求められるか。
到着するエネルギーがＫ倍になるので、
Ａ×１．５８×１０−４Ｊ÷ｔ×Ｋ＝６．６×１０−３５Ｊ。
Ａ×５×１０−１２Ｊ÷Ｔ×Ｋ＝６．６×１０−３５Ｊの式で求められる。
【請求項２０】
太陽から出発する磁気の光子のエネルギーはどれ位か。
太陽から地球まで５００秒である。太陽から出発する磁気の光子のエネルギーをＡとする。
Ａ×１．５８×１０−４÷５００＝６．６×１０−３５Ｊ  Ａ＝２．０９×１０−２８Ｊ
太陽から出発する磁気の光子のエネルギーは、２．０９×１０−２８Ｊで５．２６×１０−１４ｍである。
太陽の外側の軌道は５．２６×１０−１４ｍである。
【請求項２１】
太陽の中心部の軌道はどのようになっているか。
太陽の赤道半径は６９６×１０６ｍである。
この中を磁気の光子が走ると、６９６×１０６ｍ×（３×１０８ｍ）＝２．３２秒である。
２．３２秒走って、２．０９×１０−２８Ｊになる。太陽から出発する磁気の光子をＡとする。
Ａ×１．５８×１０−４Ｊ・ｍ÷２．３２＝２．０９×１０−２８Ｊ  Ａ＝３．０７×１０−２４Ｊ
太陽の中央の磁気の軌道エネルギーは、３．０７×１０−２４Ｊで３．５７×１０−１８ｍである。
太陽の外側の磁気の光子の軌道エネルギーは、２．０９×１０−２８Ｊで５．２６×１０−１４ｍである。
【請求項２２】
太陽から出発する磁気の光子はどれ位のエネルギーで惑星に到着するか。
太陽と惑星の距離をｒとする。磁気の光子が走る時間は、ｔ＝ｒ÷（３×１０８ｍ）秒である。
惑星に到着する磁気の光子のエネルギ＝太陽を出発する磁気の光子のエネルギー÷１．５８×１０−４Ｊ÷｛ｒ÷（３×１０８）｝である。
【請求項２３】
惑星の温度はどれ位か。
惑星の温度は到着する磁気の光子が作る。それで、温度は到着する磁気の光子のエネルギーに比例する。地球に到着する磁気のエネルギーによって、地球の温度は約２７℃＝３００Ｋに保たれている。それで、
惑星の温度＝惑星に到着する磁気の光子のエネルギー÷地球に到着する磁気の光子のエネルギー×３００  である。
【請求項２４】
肉眼で見える星から出発した磁気の光子のエネルギーはどれ位か。
星から出発した磁気の光子のエネルギーをＡとする。
Ａ×５×１０−１２Ｊ÷Ｔ＝６．６×１０−３５Ｊの式によって求める。
Ａは星の外側の磁気の光子の軌道エネルギーである。
【請求項２５】
星から出発する磁気の光子のエネルギーは太陽から出発する磁気の光子のエネルギーの何倍か。
星から出発する磁気の光子のエネルギー÷太陽から出発する磁気の光子のエネルギー  で求める。この値は星のエネルギーが太陽のエネルギーの何倍であるかを示す。
【請求項２６】
ブラックホールの軌道はどれ位か。
ブラックホールの密度は、地球をブラックホールにしたら１７ｍｍになるといいます。
地球の赤道半径は６３７８×１０３ｍですから、直径は１．２７５６×１０７ｍです。
ブラックホールの密度は地球の密度の、
１．２７５６×１０７ｍ÷０．０１７ｍ＝０．７５×１０９（倍）である。
地球の密度は５．５２であるから、ブラックホールの密度は、
５．５２×０．７５×１０９＝４．１４×１０９である。
太陽の密度は１．４１であるから、ブラックホールのエネルギーは太陽の、
４．１４×１０９÷１．４１＝２．９×１０９倍である。
軌道は太陽の２．９×１０９分の１である。
太陽の軌道は５．２６×１０−１４ｍから３．５７×１０−１８ｍであるから、この中間をとって４．４×１０−１６ｍとすると、ブラックホールの軌道は、
４．４×１０−１６ｍ÷（２．９×１０９）＝１．５×１０−２５ｍである。
軌道エネルギーは、１．１×１０−４１Ｊ・ｍ÷（１．５×１０−２５ｍ）＝７．３×１０−１７Ｊである。
【請求項２７】
ブラックホールに光子が引き寄せられる理由。
ブラックホールの磁気の光子のエネルギーは７．３×１０−１７Ｊである。
磁気の光子のエネルギーは引力であるから、引力が大きいから引き寄せる。
【請求項２８】
ブラックホールが見えない理由。
ブラックホールから出発する磁気の光子のエネルギーは７．３×１０−１７Ｊなので、エネルギーが大きすぎるので見えない。
もし、この磁気の光子が肉眼で見えるのであれば、ブラックホールのある距離はどれ位離離れている場合か。
距離をＴ光年とする。地球に到着する磁気のエネルギーは、
７．３×１０−１７Ｊ×５×１０−１２÷Ｔ＝３．１５×１０−２８Ｊ÷Ｔである。
可視光は３．３×１０−７ｍから７．７×１０−７ｍである。３．３×１０７ｍの磁気の光子が到着していると考える。
３．３×１０−７ｍの波長の軌道は１．６５×１０−７ｍで、エネルギーは６．６×１０−３５Ｊである。
それで、ブラックホールから出発した磁気の光子が肉眼で見える磁気の光子のエネルギーで到着するので、
３．１５×１０−２８Ｊ÷Ｔ＝６．６×１０−３５Ｊ  Ｔ＝４．８×１０６（光年）
４８万光年離れたブラックホールから出発する磁気の光子が地球に到着したとき可視光となっている。
それより近いブラックホールから出発する磁気の光子は、地球に到着するとき、可視光以上のエネルギーになるから見えない。
【請求項２９】
中性子星の軌道はどれ位か。
［中性子星は重さは太陽の１．５倍なのに、半径わずか１０ｋｍ程しかない非常に密度の高い天体である］この事から中性子星の軌道エネルギーを考える。
太陽の半径は６．９６×１０８ｍです。重さが太陽の１．５倍であるから、大きさに換算すると６．９６×１０８ｍ×１．５＝１０．４４×１０８ｍです。これが１０ｋｍとなっているのですから、どれくらいに収縮しているか。１０．４４×１０８ｍ÷１０４ｍ＝１．０４４×１０５倍です。
太陽の密度は１．４１であるから、中性子星の密度は１．４１×１．０４４×１０５＝１．４７２×１０５。
エネルギーは太陽の１．４７２×１０５÷１．４１＝１．０４４×１０５倍。
それで、軌道は太陽の約１０５分の１。
太陽の軌道は５．２６×１０−１４ｍから３．５７×１０−１８ｍであるから、この中間を取って、４．４×１０−１６ｍとすると、中性子星の軌道は、
４．４×１０−１６ｍ÷１０５＝４．４×１０−２１ｍである。
中性子星の磁気の光子の軌道エネルギーは、１．１×１０−４１Ｊ・ｍ÷（４．４×１０−２１ｍ）＝２．５×１０−２１Ｊである。
【請求項３０】
陽子のラブができた軌道はどれ位か。
陽子のラブのエネルギーは陽子のエネルギーである。
陽子のラブは１．５×１０−１０Ｊの軌道でできた。
軌道は１．１×１０−４１Ｊ・ｍ÷（１．５×１０−１０Ｊ）＝７．３３×１０−３２ｍである。
【請求項３１】
電子のラブができた軌道はどれ位か。
電子のラブのエネルギーは電子のエネルギーである。
電子のラブは８×１０−１４Ｊの軌道でできた。
軌道は、１．１×１０−４１Ｊ・ｍ÷（８×１０−１４Ｊ）＝１．３７５×１０−２８ｍである。
【請求項３２】
ビッグバンはどうしておきたか。
電子のラブが陽子のラブの周囲を回転したのでおきた。
【請求項３３】
ビッグバンの軌道はどれ位か。
ビッグバンの軌道エネルギーは、電子のラブができた軌道エネルギーである。
１．３７５×１０−２８ｍで８×１０−１４Ｊである。
【請求項３４】
ビッグバンを肉眼で見ると何光年のところに見られるか。
ビッグバンの軌道エネルギーは８×１０−１４Ｊで１．３７５×１０−２８ｍであるから、ビッグバンから出発する磁気の光子は８×１０−１４Ｊである。
しかし、この時には、磁気の光子が存在しないので、見えないかもしれない。
もし、それが肉眼で見えるとすると、その場所は何光年離れたところに見えるか。
８×１０−１４Ｊ×５×１０−１２÷Ｔ＝６．６×１０−３５Ｊ  Ｔ＝６０．６×１０８光年のところに見える。
【請求項３５】
磁気の光子はいつ、どのようにできたか。磁気の光子の発生原理。
磁気の光子はラブの回転によってできる。陽子のラブの回転によってできる。電子のラブの回転によってできる。陽子のラブの回転によってできる磁気の光子は、陽子のラブの回転をクロス回転する。電子のラブの回転によってできた磁気の光子は、電子のラブの回転をクロス回転する。
陽子のラブの存在によって、陽子のラブの磁気の光子ができたのではなく、陽子のラブの回転によってできた。
電子のラブの存在によって、電子のラブの磁気の光子ができたのではなく、電子のラブの回転によってできた。
７．３３×１０−３２ｍの軌道の場で、陽子のラブは存在したけれど、この場では自転だけである。
１．３７５×１０−２８ｍの軌道の場で、電子のラブは存在したけれど、この場では自転だけである。
軌道が大きくなり、初めて陽子のラブは回転し、電子のラブは回転することができた。
ビッグバン以前、陽子のラブが回転し、陽子のラブの磁気の光子ができた。
陽子のラブの磁気の光子の引力によって、電子のラブが引き寄せられた。
そして、電子のラブが陽子のラブの周囲を回転した。
これがビッグバンである。
そしてインフレーションが始まった。
インフレーションで、電子のラブが回転し、電子ラブの磁気の光子ができた。これが現在背景放射になっている。
インフレーションで、電子のラブが陽子のラブの周囲を回転し、原子ができた。その時、電子のラブの周囲をクロス回転する磁気の光子ができた。
【請求項３６】
インフレーションで、できた磁気の光子は現在どれ位の軌道エネルギーになっているか。
背景放射が２ｍｍであるから、軌道は１ｍｍである。
この磁気の光子のエネルギーは、１．１×１０−４１Ｊ・ｍ÷１０−３ｍ＝１．１×１０−３８Ｊである。
【請求項３７】
インフレーションで出発した磁気の光子の軌道エネルギーはどれ位か。
インフレーションを１５０億光年前であるとすると、インフレーション後、磁気の光子は１５０億年走り続けて背景放射になり、１．１×１０−３８Ｊになった。
インフレーションで出発した磁気の光子の軌道エネルギーをＡとする。
Ａ×５×１０−１２÷（１５０×１０８）＝１．１×１０−３８Ｊ  Ａ＝１．０４４×１０−１６Ｊ。
この軌道は、１．１×１０−４１Ｊ・ｍ÷（１．０４４×１０−１６Ｊ）＝１．０５３６×１０−２５ｍである。
インフレーションで出発した磁気の光子の軌道エネルギーは１．０４４×１０−１６Ｊで１．０５３６×１０−２５ｍである。
【請求項３８】
インフレーションで軌道はどれ位大きくなったか。
ビッグバンの軌道エネルギーは、８×１０−１４Ｊで１．３７５×１０−２８ｍである。
インフレーションで、できた磁気の光子の軌道エネルギーは、１．０４４×１０−１６Ｊで１．０５３６×１０−２５ｍであるから、
エネルギーは、１．０４４×１０−１６Ｊ÷（８×１０−１４Ｊ）＝１．３０５×１０−３倍になった。
軌道は、１．０５３６×１０−２５ｍ÷（１．３７５×１０−２８ｍ）＝７．６６×１０２倍になった。
【請求項３９】
インフレーション後、できた原子の大きさはどれ位か。
磁気の光子がクロス回転している原子の大きさは、磁気の光子の軌道の２倍の大きさである。
原子の大きさは、２×１．０５３６×１０−２５ｍ＝２．１０７２×１０−２４ｍである。
磁気の光子ができた軌道は、１．０５３６×１０−２５ｍである。
【請求項４０】
ブラックホールはどうしてできたか。
ブラックホールはビッグバン後、インフレーションの場でできた。
ブラックホールができた軌道は１．５×１０−２５ｍである。
最小の原子として最初にできた原子がブラックホールの原子である。
この原子をブラックホール原子と名づける。
ブラックホール原子の大きさは１．５×１０−２５ｍである。
【請求項４１】
クエーサーはどうしてできたか。
クエーサーはブラックホール原子を中心にできた。
ブラックホール原子の大きさは１．５×１０−２５ｍであり、この中で磁気の光子ができた。
ブラックホール原子の磁気の光子の軌道は、原子の大きさの１／２である。
ブラックホール原子の磁気の光子の軌道は、１．５×１０−２５ｍ÷２＝０．７５×１０−２５ｍである。
この軌道エネルギーは、１．１×１０−４１Ｊ・ｍ÷（０．７５×１０−２５ｍ）＝１．４７×１０−１６Ｊである。
この磁気の光子の引力によって、次々原子は集まってきた。
ブラックホール原子より軌道の大きな場でできた原子たちが集まってきた。
そして、輝かない銀河であるクエーサーができた。
【請求項４２】
１４０億光年のクエーサーから出発する磁気の光子の軌道エネルギーはどれ位か。
この磁気の光子をすばる望遠鏡は捉えた。すばる望遠鏡の倍率を３．６×１０５倍とする。クエーサーから出発する磁気の光子のエネルギーをＡとする。
Ａ×５×１０−１２÷（１４０×１０８）×３．６×１０５＝６．６×１０−３５Ｊ  Ａ＝５．１３×１０−１９Ｊ
この軌道は、１．１×１０−４１Ｊ・ｍ÷（５．１３×１０−１９Ｊ）＝２．１４×１０−２３ｍである。
【請求項４３】
宇宙の軌道とその軌道における磁気の光子の軌道エネルギーはどのようであるか。
宇宙の軌道をＢｍとすと、そこに存在する磁気の光子の軌道エネルギーは、１．１×１０−４１Ｊ・ｍ÷Ｂ  である。
本発明者は、宇宙の軌道エネルギーを、そこに存在する磁気の光子の軌道エネルギーに換算している。
すばる望遠鏡で見る宇宙から出発する磁気の光子の軌道エネルギーは、（すばる望遠鏡の倍率を３．６×１０５倍として考える。）
Ｔ光年の磁気の光子の軌道エネルギーは、
Ａ×５×１０−１２÷Ｔ×３．６×１０５＝６．６×１０−３５Ｊである。Ａ＝３．６７×１０−２９Ｊ×Ｔであり、
その軌道は、１．１×１０−４１Ｊ・ｍ÷（３．６７×１０−２９Ｊ×Ｔ）＝３×１０−１３÷Ｔ  ｍである。
この式によって、出発する場の磁気の光子の軌道を知ることができ、その場の軌道を知ることができる。
１００億光年の軌道は３×１０−２３ｍ、１０億光年の軌道は３×１０−２２ｍ、１億光年の軌道は３×１０−２１ｍ、１０００万光年の軌道は３×１０−２０ｍ、１００万光年の軌道は３×１０−１９ｍ、１０万光年の軌道は３×１０−１８ｍ、１万光年の軌道は３×１０−１７ｍ、１０００光年の軌道は３×１０−１６ｍ、１００光年の軌道は３×１０−１５ｍ、１０光年の軌道は３×１０−１４ｍ、１光年の軌道は３×１０−１３ｍ、０光年の軌道は３×１０−１２ｍである。
１０ｎ光年の軌道は３×１０−１３−ｎｍである。１０ｎ光年の磁気の光子の軌道は３×１０−１３−ｎｍで、エネルギーは３．６７×１０−２９＋ｎＪである。
【請求項４４】
宇宙の軌道と軌道であった歴史について。
宇宙の始まりは陽子のラブの存在である。その軌道は７．３×１０−３２ｍである。
陽子のラブが回転し、陽子の磁気の光子ができた。
１．３７５×１０−２８ｍの軌道で電子のラブができた。
陽子の磁気の光子によって、電子のラブは陽子のラブに引かれ、陽子のラブの周囲を電子のラブが回転した。
それで、ビッグバンがおきた．この軌道は１．３７５×１０−２８ｍである。
１．０５３６×１０−２５ｍの軌道で、電子のラブが回転し、電子の磁気の光子ができた。この磁気の光子が現在２ｍｍの背景放射のなっている。
１．５×１０−２５ｍの軌道で、ブラックホール原子ができた。
その後、原子ができた。陽子のラブの周囲を電子のラブが回転し、電子のラブの周囲を磁気の光子がクロス回転している。原子の中のクロス回転する磁気の光子は安定である。
ブラックホール原子を中心に原子が集まり、クエーサーができた。
２．１４×１０−２５ｍの軌道で、１４０億光年のクエーサーができた。
【請求項４５】
ビッグクランチはおきるか。
この宇宙の軌道で、おきた事柄が宇宙の歴史である。宇宙の歴史は軌道エネルギーの減少である。よってビッグクランチはおきない。
【請求項４６】
ニュートリノとは何か。
ニュートリノは電気の光子である。
太陽の外側の軌道は５．２６×１０−１４ｍである。それで、太陽を出発する電気の光子の軌道も５．２６×１０−１４ｍである。
そのエネルギーは、０．７５×１０−２５Ｊ・ｍ÷（５．２６×１０−１４）＝１．４２５×１０−１２Ｊである。
この電気の光子（＝ニユートリノ）は、約５００秒走って地球に到着するので、
到着するエネルギーは、１．４２５×１０−１２Ｊ×１．５８×１０−４÷５００＝４．５×１０−１９Ｊです。
太陽から出発した電気の光子（＝ニュートリノ）は、地球に到着したとき４．５×１０−１９Ｊになる。
太陽から出発したときは、１．４２５×１０−１２Ｊである。
【請求項４７】
１９８７年２月２３日、１７万光年の大マゼラン銀河のある星が超新星爆発したとき、カミオカンデで発見されたニュートリノのエネルギーはどれくらいか。
大マゼラン銀河は宇宙のどの軌道であるがは解らない。離れている距離はわかってもその方向はビッグバンの方向であるとは限らない。
そして、星全体が爆発するのであるから、出発する軌道は星の外側だけからではない。出発する軌道は星の中のあらゆる軌道からである。
それで、出発した電気の光子の軌道を１０−１５ｍと仮定する。
１０−１５ｍの軌道の電気の光子のエネルギーは、０．７５×１０−２５Ｊ・ｍ÷１０−１５ｍ＝０．７５×１０−１０Ｊである。この電気の光子が出発した。
１７万年走っている間に、エネルギーは、
０．７５×１０−１０Ｊ×５×１０−１２÷（１７×１０４）＝２．２×１０−２７Ｊになりました。
この電気の光子の軌道は、０．７５×１０−２５Ｊ・ｍ÷（２．２×１０−２７Ｊ）＝３４ｍです。
カミオカンデで、水の分子に衝突し、半回転して走っていた運動がストップし回転運動に変わったので、３４ｍのリング状の光子として現れました。
但し、出発した電気の光子の軌道により、到着する軌道も異なります。
１０−１６ｍの軌道から出発した電気の光子の場合は、３．４ｍです。
この事から、ニュートリノは電気の光子であることが解ります。
【請求項４８】
筑波の高速加速器からカミオカンデに送られるニュートリノの軌道とエネルギーはどれ位か。
電子ニュートリノは電子の電気の光子であるから，電子のラブの外側を回転している。その軌道は磁気の光子より小さい。磁気の光子は特性Ｘ線であるから、電気の光子はそれより軌道は小さい。
それで、仮に、電気の光子の軌道を１０−１１ｍとすると、そのエネルギーは、
０．７５×１０−２５Ｊ・ｍ÷１０−１１ｍ＝０．７５×１０−１４Ｊである。
走る距離は短いので考慮しない。
それで、カミオカンデに到着する電気の光子＝ニュートリノの軌道は１０−１１ｍであり、エネルギーは０．７５×１０−１４Ｊである。
仮に、出発した電気の光子の軌道を１０−１０ｍであるとすると、
カミオカンデに到着する電気の光子＝ニュートリノの軌道は１０−１０ｍであり、エネルギーは０．７５×１０−１５Ｊである。
【請求項４９】
１クーロンでできる磁気の光子のエネルギーとマクロの軌道の関係はどうであるか。磁気の光子１個が１回転でできるエネルギーとマクロの軌道の関係はどうであるか。
宇宙の軌道エネルギーはマクロの軌道が大きくなると小さくなる。
それは、クエーサーや銀河や星から出発する磁気の光子の軌道エネルギーによってわかる。
出発する磁気の光子の軌道エネルギーを、その場の磁気の光子の軌道エネルギーとし、
磁気の光子の軌道をその場の軌道とする。
▲１▼１クーロンでできる（磁気の光子が約１０１９個でできる）磁気の光子のエネルギーとマクロの軌道の関係。
【請求項４３】
に示したように、１００億光年の軌道は３×１０−２３ｍである。
この軌道の磁気の光子のエネルギーは、３．６７×１０−１９Ｊである。
１クーロンの磁気の光子の数を１０１９個とすると、そのエネルギーは３．６７×１０−１９Ｊ×１０１９＝３．６７Ｊである。
それで、１００億光年の場で、１クーロンでできる磁気の光子のエネルギーは、３．６７Ｊである。
１０ｎ光年の軌道は、３×１０−１３−ｎｍであり、磁気の光子１個のエネルギーは３．６７×１０−２９＋ｎＪである。
そして、１０１９個のエネルギーは、３．６７×１０−２９＋ｎ＋１９Ｊ＝３．６７×１０−１０＋ｎＪである。
マクロの軌道はビッグバンからの距離で示す。地球の点を半径１５０億光年とする。
１光年の距離をＲとする。Ｒｍ＝３６５×２４×６０×６０×３×１０８ｍ＝９．４６×１０１５ｍである。
地球のマクロの軌道は、２×１．５×１０１０×Ｒｍである。
１光年のマクロの軌道は、２×１．５×１０９×Ｒｍである。
１０ｎ光年のマクロの軌道は、２×１．５×１０９−ｎ×Ｒｍである。
１００億光年のマクロの軌道は、２×１．５×１０９−１０×Ｒｍである。
よって、１クーロンでできる磁気の光子のエネルギー×マクロの軌道は、
１００億光年の場合、
３．６７×１０−１９Ｊ×１０１９×２×１．５×１０−１×Ｒｍ＝１．１０１×Ｒ  Ｊ・ｍ＝１．０４×１０１６Ｊ・ｍである。
１０ｎ光年の場合、
３．６７×１０−１０＋ｎＪ×２×１．５×１０９−ｎ×Ｒｍ＝１．１０１×Ｒ  Ｊ・ｍ＝１．０４×１０１６Ｊ・ｍである。
即ち、宇宙のマクロの軌道×１クーロンでできる磁気の光子のエネルギーは一定である
▲２▼マクロの軌道で、１個の磁気の光子が１回転してできるエネルギーとマクロの軌道の関係。
マクロの軌道で、１個の磁気の光子が１回転してできるエネルギー×マクロの軌道  は、１００億光年の場合、
３．６７×１０−１９Ｊ×２×１．５×１０−１×Ｒｍ＝１．１０１×１０−１９×Ｒ  Ｊ・ｍ＝１．０４×１０−３Ｊ・ｍである。
１０ｎ光年の場合、
３．６７×１０−２９＋ｎＪ×２×１．５×１０９−ｎ×Ｒｍ＝１．１０１×１０−１９×Ｒ  Ｊ・ｍ＝１．０４×１０−３Ｊ・ｍである。
マクロの軌道で、１個の磁気の光子が１回転してできるエネルギー×マクロの軌道は一定である。
宇宙のマクロの軌道で、１個の磁気の光子が１回転してできるエネルギー×宇宙の軌道は一定である。
宇宙のマクロの軌道×エネルギーは一定である。
【請求項５０】
ミクロの場合とマクロの場合、軌道×軌道のエネルギーの値はどうであるか。
ミクロの場合。
磁気の光子の軌道エネルギー＝１．１×１０−４１÷軌道であるから、
軌道×磁気の光子の軌道エネルギー＝１．１×１０−４１Ｊ・ｍである。
電気の光子の軌道エネルギー＝０．７５×１０−２５÷軌道であるから、
軌道×電気の光子の軌道エネルギー＝０．７５×１０−２５Ｊ・ｍである。
マクロの場合。
ｔ秒走った軌道の軌道エネルギーは、
（９×１０９）１／２×Ａ÷（ｔ×３×１０８×２）＝Ａ×１．５８×１０−４÷ｔであり、
マクロの軌道×軌道エネルギー＝９．４８７×１０４×ＡＪ・ｍである。
Ｔ光年走った軌道の軌道エネルギーは、
（９×１０９）１／２×Ａ÷（３６５×２４×６０×６０×Ｔ×２）＝Ａ×５×１０−１２÷Ｔであり、
マクロの軌道×軌道エネルギー＝９．４８７×１０４×ＡＪ・ｍである。
１０ｎ光年の場合、
マクロの軌道×磁気の光子１個が１回転してできるエネルギー＝１．０４×１０−３Ｊ・ｍである。
マクロの軌道×磁気の光子１０１９個が１回転してできるエネルギー＝１．０４×１０１６Ｊ・ｍである。
【発明の詳細な説明】
【技術分野】
【０００１】この発明は光子の軌道エネルギー及び宇宙の軌道に関する。
【背景技術】従来、光子には質量がないと考えられている。
【本発明が解決しようとする課題】
【０００２】
【０００３】１、光子の運動は３つの状態に分類される。そのエネルギーはどのようになるか。
２、磁気の光子は１個で、軌道を１回転するとき、どれだけの仕事をし、どれだけのエネルギーを作るか。
３、プランク定数ｈは何を意味しているか。
４、陽子の磁気モーメントとは何か。
５、中性子の磁気モーメントとは何か。
６、電子の光子は１個で、軌道を１回転するとき、どれだけの仕事をし、どれだけのエネルギーを作るか。
７、磁気の光子は導体を、１波長走るとき、どれだけエネルギーを作るか。
８、電気の光子は導体を、１波長走るとき、どれだけエネルギーを作るか。
９、磁気の光子の軌道エネルギーは何を意味するのか。磁気の光子の質量エネルギーはどのようであるか。
１０、電気の光子の質量エネルギーはどのようであるか。
１１、ミクロの場合、磁気の光子の質量エネルギーは軌道が大きくなると、どのように変わるか。
１２、マクロの場合、磁気の光子の質量エネルギーは軌道が大きくなると、どのように変わるか。マクロの軌道と質量エネルギーはどのようであるか。
１３、導体を自由電子が走るとき電気の光子とラブ、そして磁気の光子はどのように走るのか。
１４、１Ａの電流にはどれくらいの磁気の光子が導体を走っているか。
１５、１クーロンの電荷にはどれくらいの磁気の光子が導体を走っているか。
１６、磁気の光子は１秒間に、１個で、１．６５×１０−３３Ｊ÷軌道２のエネルギーを作り、１クーロンで１．６５×１０−３３Ｊ÷軌道２×磁気の光子の数  のエネルギーを力として外に出している。このことは何を意味するか。
１７、発色メカニズムはどのようになっているか。
１８、星が肉眼で見える場合、星から出発した磁気の光子のエネルギーはどのように求められるか。
１９、倍率がＫ倍である望遠鏡で見える場合、星や銀河やクエーサーから出発した磁気の光子のエネルギーはどのように求められるか。
２０、太陽から出発する磁気の光子のエネルギーはどれくらいか。
２１、太陽の中心部の軌道はどのようになっているか。
２２、太陽から出発する磁気の光子はどれ位のエネルギーで惑星に到着するか。
２３、惑星の温度はどれ位か。
２４、肉眼で見える星から出発した磁気の光子のエネルギーはどれ位か。
２５、星から出発する磁気の光子のエネルギーは太陽から出発する磁気の光子のエネルギーの何倍か。
２６、ブラックホールの軌道はどれ位か。
２７、ブラックホールに光子が引き寄せられる理由。
２８、ブラックホールが見えない理由。
２９、中性子星の軌道はどれ位か。
３０、陽子のラブができた軌道はどれ位か。
３１、電子のラブができた軌道はどれ位か。
３２、ビッグバンはどうしておきたか。
３３、ビッグバンの軌道はどれ位か。
３４、ビッグバンを肉眼で見ると何光年のところに見られるか。
３５、磁気の光子はいつどのようにできたか。
３６、インフレーションで、できた磁気の光子は、現在どれ位の軌道エネルギーになっているか。
３７、インフレーションで出発した磁気の光子の軌道エネルギーはどれ位か。
３８、インフレーションで軌道はどれ位大きくなったか。
３９、インフレーション後、できた原子の大きさはどれ位か。
４０、ブラックホールはどうしてできたか。
４１、クエーサーはどうしてできたか。
４２、１４０億光年のクエーサーから出発する磁気の光子の軌道はどれ位か。
４３、宇宙の軌道とその軌道における磁気の光子の軌道エネルギーはどのようであるか。
４４、宇宙の軌道と軌道であった歴史について。
４５、ビッグクランチはおきるか。
４６、ニュートリノとは何か。
４７、１９８７年２月２３日、１７万光年の大マゼラン銀河のある星が、超新星爆発した時、カミオカンデで発見されたニュートリノのエネルギーはどれ位か。
４８、筑波の高速加速器からカミオカンデに送られてくるニュートリノのエネルギーはどれ位か。
４９、１クーロンでできる磁気の光子のエネルギーとマクロの軌道の関係。磁気の光子１個が１回転でできるエネルギーとマクロの軌道の関係はどのようであるか。
５０、ミクロの場合とマクロの場合、軌道×軌道エネルギーの値はどうであるか。
【課題を解決するための手段】
【０００４】  本発明者は、２００３年１１月５日特許出願した「力、引力」の
【請求項７】
で、４．４７２×１０−４Ｊの磁気の光子のエネルギーは何個の磁気の光子でできるエネルギーか。
【請求項８】
で、９．４８７×１０４Ｊの磁気の光子のエネルギーは何個の磁気の光子によってできるか。ｑクーロンでできる磁気の光子の軌道エネルギーは９．４８６９５×１０４Ｊ×ｑ÷軌道  である。と記した。
この事を再考慮する。
そのために、磁気の光子が１回転する仕事から考える。
このことによって、プランク定数ｈや陽子の磁気モーメントや中性子の磁気モーメントが何を意味するかを知る。
磁気の光子の軌道エネルギーはミクロ的には１．１×１０−４１Ｊ・ｍ÷軌道  である。
マクロ的には（９×１０９）１／２×ｑ÷軌道  である。
このミクロ的磁気の光子の軌道エネルギーとマクロ的磁気の光子の軌道エネルギーの関係を理解することによって、ミクロ的物理学とマクロ的物理学の統一ができる。
この事から、
太陽や星や銀河やクエーサーやブラックホールやインフレーションから出発した磁気の光子の軌道エネルギーと、地球に到着する磁気の光子の軌道エネルギーを理解する。
そして、宇宙がどのようにできたかを理解し、宇宙ができてから今までの宇宙の軌道とその軌道の磁気の光子のエネルギーがどのような関係になっているかを理解する。
更に、この事から、ニュートリノが電気の光子であることを計算により証明する。
【発明の実施態様】
【０００５】１  光子は３つの状態に分類される。
１つは回転している状態である。１つは導線を走っている状態である。１つは空中を走っている状態である。
これらの状態により、光子のエネルギーは変わっている。
回転している時は、その軌道エネルギーで回転している。
導線を走る場合は、走って軌道エネルギーを作っている。
空中を走るときは、走りながらマクロの軌道エネルギーに合わせて、自分のエネルギーを減少させている。
２  磁気の光子は１個で、軌道を１回転するときどれだけの仕事をし、どれだけのエネルギーを作るか。
磁気の光子の軌道エネルギー＝１．１×１０−４１Ｊ・ｍ÷軌道  の仕事をする。
磁気の光子の軌道エネルギー＝１．１×１０−４１Ｊ・ｍ÷軌道  のエネルギーを作る。
３  プランク定数ｈは何を意味しているか。
プランク定数ｈは磁気の光子が１回転してできるエネルギーである。
又は、１波長走ってできるエネルギーである。
６．６２０６８７６×１０−３４Ｊ・ｓは、磁気の光子が１回転するエネルギーである。
その軌道は、１．１×１０−４１Ｊ・ｍ÷（６．６２０６８７６×１０−３４Ｊ）＝１．６６１４５８×１０−８ｍである。
即ち、プランク定数は、磁気の光子が１．６６１４５８×１０−８ｍの軌道を１回転するエネルギーである。
又は、プランク定数は、１．６６１４５８×１０−８ｍ×２の波長の磁気の光子が１波長走るエネルギーである。
４  陽子の磁気モーメントとは何か。
陽子の磁気モーメントとは、陽子のラブが回転する周囲をクロス回転する磁気の光子が１個、１回転して作るエネルギーである。
この磁気の光子の軌道は、１．１×１０−４１Ｊ・ｍ÷（１．４１０６０６６３３×１０−２６Ｊ）＝７．７９８０６５×１０−１６ｍである。
この軌道の大きさの２倍が陽子の大きさである。
陽子の大きさは、７．７９８０６５×１０−１６ｍ×２＝１．５５９６１３×１０−１５である。
５  中性子の磁気モーメントとは何か。
中性子の磁気モーメントは陽子のラブが回転する周囲をクロス回転する磁気の光子が、１個、１回転して作るエネルギーである。
この磁気の光子の軌道は１．１×１０−４１Ｊ・ｍ÷（９．６６２３６４×１０−２７Ｊ）＝１．１３８４３７７×１０−１５ｍである。
この軌道の大きさの２倍が中性子の大きさである。
中性子の大きさは、２．２７６８７５４×１０−１５ｍである。
６  電気の光子は１個で、軌道を１回転するとき、どれだけの仕事し、どれだけのエネルギーを作るか。
電気の光子は軌道を１回転するとき、
電気の光子の軌道エネルギー＝０．７５×１０−２５Ｊ・ｍ÷軌道  の仕事をし、エネルギーを作る。
７  磁気の光子は導体を１波長走るときどれだけエネルギーを作るか。
磁気の光子は１波長走るとき、１．１×１０−４１Ｊ・ｍ÷（波長÷２）のエネルギーを作る。
この作ったエネルギーが導体の外に出て力となる。力は引力となる。
８  電気の光子は導体を、１波長走るときどれだけエネルギーを作るか。
電気の光子は１波長走るとき、０．７５×１０−２５Ｊ・ｍ÷（波長÷２）のエネルギーを作る。
９  磁気の光子の軌道エネルギーは何を意味するか。磁気の光子の質量エネルギーはどれだけであるか。
磁気の光子のエネルギーは磁気の光子の質量エネルギーである。
磁気の光子の質量エネルギーは磁気の光子が軌道を１回転するエネルギーである。
磁気の光子の質量エネルギーは磁気の光子が１波長走るエネルギーである。
磁気の光子の軌道エネルギーは軌道を回転する磁気の光子の質量エネルギーである。
即ち、磁気の光子の質量エネルギーは一定ではない。
磁気の光子の質量エネルギーは変化する。
磁気の光子の軌道により異なる。
磁気の光子の質量エネルギーは、１．１×１０−４１Ｊ・ｍ÷軌道×６．２４×１０１８ｅＶである。
磁気の光子の波長により異なる。
磁気の光子の質量エネルギーは、１．１×１０−４１Ｊ・ｍ÷（波長÷２）×６．２４×１０１８ｅＶである。
磁気の光子は自分の質量エネルギーの軌道を回転している。
自分の質量エネルギーが減少すると磁気の光子は回転する軌道を大きくする。
磁気の光子の質量エネルギーは軌道に現れる。
磁気の光子の質量エネルギーは波長に現れる。
波長÷２＝軌道である。磁気の光子は半回転しながら進むからである。
磁気の光子は走って自分のエネルギーを消耗し波長を長くする。
磁気の光子は、１秒間に３×１０８ｍ走るので、
１個で、回転数×１回の回転でできるエネルギー＝
３×１０８ｍ÷波長×１．１×１０−４１Ｊ・ｍ÷（波長÷２）＝６．６×１０−３３Ｊ÷波長２のエネルギーを作る。
６．６×１０−３３Ｊ÷波長２＝６．６×１０−３３Ｊ÷（２×軌道）２＝１．６５×１０−３３Ｊ÷軌道２であるから、
１．６５×１０−３３Ｊ÷軌道２のエネルギーを作る。
１０  電気の光子の質量エネルギーはどのようであるか。
電気の光子のエネルギーは電気の光子の質量エネルギーである。
電気の光子の質量エネルギーは電気の光子が軌道を１回転するエネルギーである。
電気の光子の質量エネルギーは電気の光子が１波長走るエネルギーである。
電気の光子の質量エネルギーも磁気の光子の質量エネルギーと同様である。
電気の光子の質量エネルギーは変化する。
電気の光子の質量エネルギーは軌道や波長に現れる。
電気の光子の質量エネルギーは、０．７５×１０−２５Ｊ・ｍ÷軌道×６．２４×１０１８ｅＶである。
電気の光子の質量エネルギーは、０．７５×１０−２５Ｊ・ｍ÷（波長÷２）×６．２４×１０１８ｅＶである。
１１  ミクロの場合、磁気の光子の質量エネルギーは軌道が大きくなるとどのように変わるか。
磁気の光子の質量エネルギーは軌道の大きさの変化によって変わる。
例えば、軌道の大きさがｋ１からｋ２になった場合、磁気の光子の質量エネルギーの変化は、１．１×１０−４１Ｊ・ｍ÷（ｋ１−ｋ２）である。
例えば、波長の大きさがｋ１からｋ２になった場合、磁気の光子の質量エネルギーの変化は、１．１×１０−４１Ｊ・ｍ÷（ｋ１／２−ｋ２／２）である。
１２  マクロの場合、磁気の光子の質量エネルギーは軌道が大きくなるとどのように変わるか。マクロの軌道エネルギーはどのようであるか。
マクロの軌道エネルギーはどのようになっているか。
中央に、１個の磁気の光子のエネルギーがＡである磁気の光子が集まって、Ａ×９．４８７×１０４Ｊの磁気の光子のエネルギーがある。
Ａ×９．４８７×１０４Ｊの磁気の光子のエネルギーはＡＪの磁気の光子の集合体のエネルギーである。
この磁気の光子の個数については
【請求項１４】
と
【請求項１５】
に記す。
Ａ×９．４８７×１０４Ｊのエネルギーは、１個のエネルギーがＡである磁気の光子が約１０１９個集まったエネルギーである。
それで、軌道エネルギーは磁気の光子のエネルギーとして計算する。
軌道エネルギー＝磁気の光子の軌道エネルギー＝Ａ×９．４８７×１０４Ｊ÷マクロの軌道。
軌道をマクロの軌道と名づける。
これはミクロの軌道である磁気の光子の軌道と区別するためである。
軌道が大きくなるにしたがって、軌道エネルギーは小さくなる。
マクロの軌道エネルギーは、Ａ×９．４８７×１０４Ｊ・ｍ÷マクロの軌道  である。
▲１▼マクロの軌道＝２×距離  と考える場合と、▲２▼マクロの軌道＝距離  と考える場合、に分けて考えられる。
▲２▼の場合、エネルギーは▲１▼の場合のエネルギーの２倍である。軌道は１／２である。
本発明者は、▲１▼の場合で計算した。
▲１▼マクロの軌道＝２×距離  と考える。。
それで、
マクロの軌道エネルギー＝Ａ×９．４８７×１０４Ｊ・ｍ÷（２×距離）である。
２×マクロの軌道エネルギー＝Ａ×９．４８７×１０４Ｊ・ｍ÷距離  である。
ｔ秒で、距離は３×１０８×ｔになるので、
２×マクロの軌道エネルギー＝Ａ×９．４８７×１０４Ｊ・ｍ÷（３×１０８×ｔ）ｍ＝Ａ×３．１６×１０−４Ｊ÷ｔ。
Ｔ光年で、距離は３×１０８×３６５×２４×６０×６０×Ｔ＝９．４６０８×１０１４×Ｔになるので、
２×マクロの軌道エネルギー＝Ａ×９．４８７×１０４Ｊ・ｍ÷（９．４６０８×１０１４×Ｔ）ｍ＝Ａ×１０−１１Ｊ÷Ｔ。
マクロの軌道エネルギー×距離＝Ａ×９．４８７×１０４Ｊ・ｍ÷２  である。
マクロの軌道エネルギー＝Ａ×４．７４３５×１０４Ｊ・ｍ÷距離  である。
それで、ｔ秒走った時の
マクロの軌道エネルギー＝Ａ×４．７４３５×１０４Ｊ・ｍ÷（３×１０８×ｔ）ｍ＝Ａ×１．５８×１０−４Ｊ÷ｔになる。
Ｔ光年走ったときの、
マクロの軌道エネルギー＝Ａ×４．７４３５×１０４Ｊ・ｍ÷（９．４６０８×１０１４×Ｔ）ｍ＝Ａ×５×１０−１２Ｊ÷Ｔになる。
このように、磁気の光子はマクロの軌道が大きくなるにしたがって、自分のエネルギーを減少する。
磁気の光子は軌道が大きいところに進むためには、自分のエネルギーを小さくしなければ進めない。
磁気の光子はマクロの軌道エネルギー（磁気の光子の軌道エネルギーとして計算している。）と自分のエネルギーが同じにしないと、そのマクロの軌道には存在できない。
空間はすべてマクロの軌道エネルギーに支配されている。
マクロの軌道エネルギーは中央の軌道エネルギーに支配されている。
磁気の光子は走る距離にしたがってエネルギーを減少させるという現象は、磁気の光子はマクロの軌道エネルギーと同じエネルギーになるため、自分のエネルギーを減少させている事である。
即ち、磁気の光子は走って自分の質量エネルギーを減少させ、自分と同じ質量エネルギーのマクロの軌道に進む。
磁気の光子が走るということは自分の質量エネルギーのマクロの軌道に進むということである。
磁気の光子は走ってエネルギーを減少させる。
ｔ秒走って、Ａ×１．５８×１０−４Ｊ÷ｔになる。
Ｔ光年走って、Ａ×５×１０−１２Ｊ÷Ｔになる。
電気の光子も走ってエネルギーを減少させる。
ｔ秒走って、Ａ×１．５８×１０−４Ｊ÷ｔになる。
Ｔ光年走って、Ａ×５×１０−１２Ｊ÷Ｔになる。
また、
▲２▼軌道＝走った距離  と考える場合。
軌道エネルギー＝９．４８７×１０４Ｊ×Ａ÷距離  である。
ｔ秒走って、
軌道エネルギー＝９．４８７×１０４Ｊ・ｍ×Ａ÷（３×１０８×ｔ）ｍ＝Ａ×３．１６×１０−４Ｊ÷ｔ  である。
Ｔ光年走って、
軌道エネルギー＝９．４８７×１０４Ｊ・ｍ×Ａ÷（３×１０８×３６５×２４×６０×６０×Ｔ）ｍ＝Ａ×１０−１１Ｊ÷Ｔ  である。
磁気の光子は、ｔ秒走って、Ａ×３．１６×１０−４Ｊ÷ｔになる。
磁気の光子は、Ｔ光年走って、Ａ×１０−１１Ｊ÷Ｔになる。
▲２▼の場合で考えたほうが、磁気の光子はエネルギーを減少させて軌道を大きくする事が理解しやすい。
しかし、宇宙を軌道として考える場合は、▲１▼のほうが理解しやすい。
１３  導体を自由電子が走るとき電気の光子とラブ、そして磁気の光子はどのように走るか。
電気の光子とラブは電流の流れる方向にらせん状に走る。バネを伸ばした形で走る。磁気の光子は電流に垂直にらせん状に走る。バネを伸ばした形で走る。
１４  １Ａの電流にはどれくらいの磁気の光子が導体を走っているか。
磁気の光子の軌道をｙｍとする。
１個の磁気の光子が導体を走るとき、１ｍ間で作るエネルギーの合計は、
１個の磁気の光子が１回転で作るエネルギー×１ｍ間の回転数である。
１個の磁気の光子が１回転で作るエネルギーは、１．１×１０−４１Ｊ・ｍ÷ｙｍである。
１個の磁気の光子は１ｍ間に、１ｍ÷（２×ｙｍ）回、回転する。
それで、
１個の磁気の光子が１回転で作るエネルギー×１ｍ間の回転数
＝１．１×１０−４１Ｊ・ｍ÷ｙ×｛１ｍ÷（２×ｙ）｝＝０．５５×１０−４１Ｊ÷ｙ２
１個の磁気の光子が１ｍ間で作る磁気の光子のエネルギーは、０．５５×１０−４１Ｊ÷ｙ２である。
１Ａの電流で、１本の導体１ｍにできるエネルギー（力）は４．４７２×１０−４Ｊであるから、これは何個の磁気の光子のエネルギーであるか。
４．４７２×１０−４Ｊ÷（０．５５×１０−４１Ｊ÷ｙ２）＝８．１３×１０３７×ｙ２（個）である。
ｙ＝１０−１０ｍの場合、８．１３×１０３７×１０−２０＝８．１３×１０１７（個）である。
ｙ＝１０−９ｍの場合、８．１３×１０３７×１０−１８＝８．１３×１０１９（個）である。
１５  １クーロンの電荷にはどれくらいの磁気の光子が導体を走っているか。
１クーロンとは１Ａの電流が１秒間に作るエネルギーである。
１個の磁気の光子が導体を走るとき、１秒間に作るエネルギーの合計は、
１個の磁気の光子が１回転で作るエネルギー×１秒間の回転数である。
１個の磁気の光子が１回転で作るエネルギーは１．１×１０−４１Ｊ・ｍ÷ｙｍである。
１秒間の回転数は、３×１０８ｍ÷（２×ｙｍ）である。
それで、
１個の磁気の光子が１秒間に作るエネルギーは、
１．１×１０−４１Ｊ・ｍ÷ｙｍ×３×１０８ｍ÷（２×ｙｍ）＝１．６５×１０−３３Ｊ÷ｙ２である。
ｘ個の磁気の光子が１秒間回転すると（９×１０９）１／２Ｊ＝９．４８７×１０４Ｊのエネルギーができるとする。
１．６５×１０−３３Ｊ÷ｙ２×ｘ＝９．４８７×１０４Ｊ  ｘ＝５．７５×１０３７×ｙ２である。
ｙが１０−１０ｍであるならば、ｘ＝５．７５×１０３７１０−２０＝５．７５×１０１７（個）である。
ｙが１０−９ｍであるならば、ｘ＝５．７５×１０３７×０−１８＝５．７５×１０１９（個）である。
１６  磁気の光子は１秒間に、１個で、１．６５×１０−３３Ｊ÷軌道２のエネルギーを作る。１クーロンで１．６５×１０−３３÷軌道２×磁気の光子の個数  のエネルギーを力として外に出している．
このことは何を意味するか。
このことは、磁気の光子は自分のエネルギーを作った分だけ外に出しているということである。
このことは、磁気の光子は作ったエネルギーを外に出している、ということである。
磁気の光子は導体を走ってエネルギーを作り、それを外に出している。
これが伝播するという現象である。
このエネルギーが力である。
このエネルギーが引力である。
１７  発色メカニズムはどのようになっているか。
▲１▼  分子の周囲を磁気の光子が回転している。発色する波長の１／２である軌道の磁気の光子が分子の外側を回転している。
▲２▼  発色する波長より小さな波長の磁気の光子が、分子の中に吸収される。
▲３▼  分子内に吸収された磁気の光子は分子内を回転する。次々磁気の光子は吸収される。
▲４▼  それで、分子の外側の光子が排斥され、放出する。
▲５▼  放出した光子が目の分子に吸収される。目の分子には次々磁気の光子が入ってくるので、磁気の光子は目の分子から放出される。そして神経を走る。
▲６▼  神経を走って、脳の発色細胞の発色分子に吸収される。
▲７▼  磁気の光子を吸収した発色分子はピカピカする。発色する。
１８  星が肉眼で見える場合、星から出発した磁気の光子のエネルギーはどのように求められるか。
可視光は３．３×１０−７ｍから７．７×１０−７ｍである。それで、大きなエネルギーの磁気の光子が到着すると考える。
３．３×１０−７ｍの波長の軌道は３．３×１０−７ｍ÷２＝１．６５×１０−７ｍである。
１．６５×１０−７ｍの軌道エネルギーは、１．１×１０−４１Ｊ・ｍ÷（１．６５×１０−７ｍ）＝６．６×１０−３５Ｊである。
星から出発する磁気の光子のエネルギーはｔ秒走る間、軌道を大きくする。
マクロの軌道＝ｔ×３×１０８×２ｍであるから、星を出発する磁気の光子のエネルギーは、
軌道エネルギー＝Ａ×（９×１０９）１／２Ｊ÷マクロの軌道＝Ａ×９．４８６８×１０４Ｊ÷（ｔ×３×１０８×２）＝Ａ×１．５８×１０−４÷ｔ  になる。
この軌道エネルギーは地球に到着するエネルギーであるから、
Ａ×１．５８×１０−４÷ｔ＝６．６×１０−３５Ｊ  Ａ＝４．１８×１０−３１Ｊ×ｔで求められる。
Ｔ光年の場合は、
マクロの軌道＝Ｔ×３６５×２４×６０×６０×３×ｌ０８×２ｍ  である。
それで、星や銀河から出発した磁気の光子のエネルギーは、
軌道エネルギー＝Ａ×（９×１０９）１／２Ｊ÷マクロの軌道＝Ａ×９．４８６８×１０４Ｊ÷（Ｔ×３６５×２４×６０×６０×３×１０８×２）＝Ａ×５×１０−１２Ｊ÷Ｔになる。
この磁気の光子のエネルギーは地球に到着するエネルギーであるから、
Ａ×５×１０−１２÷Ｔ＝６．６×１０−３５Ｊ  Ａ＝１．３２×１０−２３Ｊ×Ｔで求められる。
１９  倍率がＫ倍である望遠鏡で見える場合、星から出発した磁気の光子のエネルギーはどのように求められるか。
到着するエネルギーがＫ倍になるので、
Ａ×１．５８×１０−４Ｊ÷ｔ×Ｋ＝６．６×１０−３５Ｊ。
Ａ×５×１０−１２÷Ｔ×Ｋ＝６．６×１０−３５Ｊ  の式で求められる。
２０  太陽から出発する磁気の光子の軌道エネルギーはどれくらいか。
太陽から地球までの距離は１．４９６×１０１１ｍですから、１．４９６×１０１１ｍ÷（３×１０８ｍ）≒５００（秒）です。
太陽から出発する磁気の光子のエネルギーをＡとする。
Ａ×１．５８×１０−４Ｊ÷５００＝６．６×１０−３５Ｊ  Ａ＝２．０９×１０−２８Ｊ
この磁気の光子の軌道は、１．１×１０−４１Ｊ・ｍ÷（２．０９×１０−２８Ｊ）＝５．２６×１０−１４ｍである。
太陽から出発する磁気のエネルギーは２．０９×１０−２８Ｊで５．２６×１０−１４ｍである。
太陽の外側の軌道は５．２６×１０−１４ｍである。
２１  太陽の中心部の軌道はどのようになっているか。
太陽の赤道半径は６９６×１０６ｍである。この中を磁気の光子が走ると何秒かかるか。
６９６×１０６ｍ÷（３×１０８ｍ）＝２．３２秒かかる。
太陽の中心の磁気の光子のエネルギーをＡとする。太陽の中心から出発した磁気の光子は２．３２秒走って２．０９×１０−２８Ｊになる。
Ａ×１．５８×１０−４Ｊ÷２．３２＝２．０９×１０−２８Ｊ  Ａ＝３．０８×１０−２４Ｊ
この軌道は、１．１×１０−４１Ｊ・ｍ÷（３．０８×１０−２４Ｊ）＝３．５７×１０−１８ｍである。
太陽の磁気の光子の軌道エネルギーは外側は、５．２６×１０−１４ｍで２．０９×１０−２８Ｊであり、
中央は、３．５７×１０−１８ｍで３．０８×１０−２４Ｊである。
２２  太陽から出発する磁気の光子はどれ位のエネルギーで惑星に到着するか。
太陽と惑星の距離をｒとする。磁気の光子が走る時間は、ｔ＝ｒ÷（３×１０８ｍ）秒である。
惑星に到着する磁気の光子の軌道エネルギーは、
太陽を出発する磁気の光子のエネルギー×１．５８×１０−４Ｊ÷｛ｒ÷（３×１０８）｝＝惑星に到着する磁気の光子のエネルギー  である。
太陽を出発する磁気の光子のエネルギーは、２．０９×１０−２８Ｊである。
水星の距離は５．７９×１０１０ｍであるから、ｔ＝５．７９×１０１０ｍ÷（３×１０８ｍ）＝１９３秒である。
水星に到着する磁気の光子のエネルギーは、２．０９×１０−２８Ｊ×１．５８×１０−４÷１９３＝１．７２×１０−３４Ｊである。
金星の距離は１．０８２×１０１１ｍであるから、ｔ＝１．０８２×１０１１ｍ÷（３×１０８ｍ）＝３６１秒である。
金星に到着する磁気の光子のエネルギーは、２．０９×１０−２８Ｊ×１．５８×１０−４÷３６１＝９．１５×１０−３５Ｊである。
地球の距離は１．４９６×１０１１ｍであるから、ｔ＝１．４９６×１０１１ｍ÷（３×１０８ｍ）≒５００秒である。
地球に到着するエネルギーは、２．０９×１０−２８Ｊ×１．５８×１０−４÷５００＝６．６×１０−３５Ｊである。
火星の距離は２．２７９×１０１１ｍであるから、ｔ＝２．２７９×１０１１ｍ÷（３×１０８ｍ）＝７６０秒である。
火星に到着する磁気の光子のエネルギーは、２．０９×１０−２８Ｊ×１．５８×１０−４÷７６０＝４．３４５×１０−３５Ｊである。
木星の距離は７．７８３×１０１１ｍであるから、ｔ＝７．７８３×１０１１ｍ÷（３×１０８ｍ）＝２５９４秒である。
木星に到着する磁気の光子のエネルギーは、２．０９×１０−２８Ｊ×１．５８×１０−４÷２５９４＝１．２７３×１０−３５Ｊである。
土星の距離は１４．２９４×１０１１ｍであるから、ｔ＝１４．２９４×１０１１ｍ÷（３×１０８ｍ）＝４７６５秒である。
土星に到着する磁気の光子のエネルギーは、２．０９×１０−２８Ｊ×１．５８×１０−４÷４７６５＝６．９３×１０−３６Ｊである。
天王星の距離は２８．７５０×１０１１ｍであるから、ｔ＝２８．７５０×１０１１ｍ÷（３×１０８ｍ）＝９５８３秒である。
天王星に到着する磁気の光子のエネルギーは、２．０９×１０−２８Ｊ×１．５８×１０−４÷９５８３＝３．４４６×１０−３６Ｊである。
海王星の距離は４５．０４４×１０１１ｍであるから、ｔ＝４５．０４４×１０１１ｍ÷（３×１０８ｍ）＝１５０１５秒である。
海王星に到着する磁気の光子のエネルギーは、２．０９×１０−２８Ｊ×１．５８×１０−４÷１５０１５＝２．２×１０−３６Ｊである。
冥王星の距離は５９．１５２×１０１１ｍであるから、ｔ＝５９．１５２×１０１１ｍ÷（３×１０８ｍ）＝１９７１６秒である。
冥王星に到着する磁気の光子のエネルギーは、２．０９×１０−２８Ｊ×１．５８×１０−４÷１９７１６＝１．６７×１０−３６Ｊである。
２３  惑星の温度はどれくらいか。
惑星の温度は到着する磁気の光子のエネルギーが作る。それで、温度は到着する磁気の光子のエネルギーに比例する。
地球に到着する磁気の光子エネルギーによって地球の温度は約２７℃＝３００Ｋに保たれている。
それでは惑星の温度はどれくらいか。
惑星の温度＝惑星に到着する磁気の光子のエネルギー÷地球に到着する磁気の光子のエネルギー×３００  である。
地球に到着する磁気の光子のエネルギーは、６．６×１０−３５Ｊで３００Ｋの温度である。
水星の温度は、１．７１×１０−３４Ｊ×３００÷（６．６×１０−３５Ｊ）＝７８２（Ｋ）である。
金星の温度は、９．１５×１０−３５Ｊ×３００÷（６．６×１０−３５Ｊ）＝４１６Ｋ）である。
火星の温度は、４．３４５×１０−３５Ｊ×３００÷（６．６×１０−３５Ｊ）＝１９７．５（Ｋ）である。
木星の温度は、１．２７３×１０−３５Ｊ×３００÷（６．６×１０−３５Ｊ）＝５７．９（Ｋ）である。
土星の温度は、６．９３×１０−３６Ｊ×３００÷（６．６×１０−３５Ｊ）＝３１．５（Ｋ）である。
天王星の温度は、３．４４６×１０−３６Ｊ×３００÷（６．６×１０−３５Ｊ）＝１５．７（Ｋ）である。
海王星の温度は、２．２×１０−３６Ｊ×３００÷（６．６×１０−３５Ｊ）＝１０（Ｋ）である。
冥王星の温度は、１．６７×１０−３６Ｊ×３００÷（６．６×１０−３５Ｊ）＝７．６（Ｋ）である。
これらをまとめる。
2004166499.tif 000003
２４  肉眼で見える星から出発した磁気の光子のエネルギーはどれくらいか。
冬の大６角形であるシリウス，プロキオン、カストル、カペラ、アルテバラン，リゲルについて計算する。
シリウスは８．６光年であるから、
Ａ×５×１０−１２÷８．６＝６．６×１０−３５Ｊ  Ａ＝１．１３５×１０−２２Ｊ  軌道は９．６９×１０−２０ｍである。
プロキオンは１１光年であるから、
Ａ×５×１０−１２÷１１＝６．６×１０−３５Ｊ  Ａ＝１．４５２×１０−２２Ｊ  軌道は７．５８×１０−２０ｍである。
カペラは４０光年であるから、
Ａ×５×１０−１２÷４０＝６．６×１０−３５Ｊ  Ａ＝５．２８×１０−２２Ｊ  軌道は２．０８×１０−２０ｍである。
カストルは５０光年であるから、
Ａ×５×１０−１２÷５０＝６．６×１０−３５Ｊ  Ａ＝６．６×１０−２２Ｊ  軌道は１．６７×１０−２０ｍである。
アルテバランは６０光年であるから、
Ａ×５×１０−１２÷６０＝６．６×１０−３５Ｊ  Ａ＝７．９２×１０−２２Ｊ  軌道は１．３９×１０−２０ｍである。
リゲルは７００光年であるから、
Ａ×５×１０−１２÷７００＝６．６×１０−３５Ｊ  Ａ＝９．２４×１０−２１Ｊ  軌道は１．１９×１０−２１ｍである。
この軌道は星の外側の軌道である。
２５  星から出発する磁気の光子のエネルギーは太陽から出発する磁気の光子のエネルギーの何倍か。
星から出発する磁気の光子のエネルギー÷太陽から出発する磁気の光子のエネルギーで求める。
太陽から出発する磁気の光子のエネルギーは２．０９×１０−２８Ｊであるから、
シリウスは、１．１３５×１０−２２Ｊ÷（２．０９×１０−２８Ｊ）＝５．４３×１０５倍である。
プロキオンは、１．４５２×１０−２２Ｊ÷（２．０９×１０−２８Ｊ）＝６．９５×１０５倍である。
カペラは、５．２８×１０−２２Ｊ÷（２．０９×１０−２８Ｊ）＝２．５３×１０６倍である。
カストルは、６．６×１０−２２Ｊ÷（２．０９×１０−２８Ｊ）＝３．１６×１０６倍である。
アルテバランは、７．９２×１０−２２Ｊ÷（２．０９×１０−２８Ｊ）＝３．７９×１０６倍である。
リゲルは、９．２４×１０−２１Ｊ÷（２．０９×１０−２８Ｊ）＝４．４２×１０７倍である。
２６  ブラックホールの軌道はどれくらいか。
ブラックホールの密度は、地球をブラックホールにしたら１７ミリになるといいます。
地球の赤道半径は６３７８×１０３ｍですから、直径は１．２７５６×１０７ｍです。
ブラックホールの密度は地球の密度の、
１．２７５６×１０７ｍ÷０．０１７ｍ＝０．７５×１０９（倍）である。
地球の密度は５．５２であるから、ブラックホールの密度は、
５．５２×０．７５×１０９＝４．１４×１０９である。
太陽の密度は１．４１であるから、ブラックホールのエネルギーは太陽の、
４．１４×１０９÷１．４１＝２．９×１０９倍である。
軌道は太陽の２．９×１０９分の１である。
太陽の軌道は５．２６×１０−１４ｍから３．５７×１０−１８ｍであるからこの中間をとって、
（５．２６×１０−１４ｍ＋３．５７×１０−１８ｍ）÷２＝４．４×１０−１６ｍとすると、ブラックホールの軌道は、
４．４×１０−１６ｍ÷（２．９×１０９）＝１．５×１０−２５ｍである。
磁気の光子の軌道エネルギーは、
１．１×１０−４１Ｊ・ｍ÷（１．５×１０−２５ｍ）＝７．３×１０−１７Ｊ  である。
２７  ブラックホールに光子が引き寄せられる理由。
ブラックホールの磁気の光子のエネルギーは７．３×１０−１７Ｊである。
磁気の光子のエネルギーは引力であるから、引力が大きいから引き寄せる。
２８  ブラックホールが見えない理由。
ブラックホールから出発する磁気の光子のエネルギーは７．３×１０−１７Ｊなので、エネルギーが大きすぎるので見えない。
もし、この磁気の光子が肉眼でみえるのであれば、どれ程の距離にみえるか。
距離をＴ光年とする。地球に到着する磁気のエネルギーは、
７．３×１０−１７Ｊ×５×１０−１２÷Ｔ＝３．１５×１０−２８Ｊ÷Ｔである。
可視光は３．３×１０−７ｍから７．７×１０−７ｍであるから、強いエネルギーが地球に到着していると考える。３．３×１０−７ｍの磁気の光子が到着していると考える。
３．３×１０−７ｍの波長の軌道は１．６５×１０−７ｍである。
１．６５×１０−７ｍの磁気の光子のエネルギーは、１．１×１０−４１Ｊ・ｍ÷（１．６５×１０−７ｍ）＝６．６×１０−３５Ｊである。
３．１５×１０−２８Ｊ÷Ｔ＝６．６×１０−３５Ｊ  Ｔ＝４．８×１０６（光年）
４８万光年離れたブラックホールから出発する磁気の光子が地球に到着したとき可視光となっている。
それより近いブラックホールから出発する磁気の光子は地球に到着するとき、可視光以上のエネルギーになるから見えない。
ブラックホールから出発する磁気の光子を７．３×１０−１７Ｊとし、距離を遠くに設定すると見える。
２９  中性子星の軌道エネルギーはどれくらいか。
［中性子星は重さは太陽の１．５倍なのに、半径がわずか１０ｋｍ程しかない非常に密度の高い天体である。］この事から中性子星の軌道エネルギーを考える。
太陽の半径は６．９６×１０８ｍです。重さが太陽の１．５倍であるから大きさに換算すると、６．９６×１０８ｍ×１．５＝１０．４４×１０８ｍです。これが１０ｋｍとなっているのですから、どれくらいに収縮しているか。１０．４４×１０８ｍ÷１０４ｍ＝１．０４４×１０５倍です。
太陽の密度は１．４１であるから、中性子星の密度は１．４１×１．０４４×１０５＝１．４７２×１０５。
エネルギーは太陽の１．４７２×１０５÷１．４１＝１．０４４×１０５倍。
それで、
軌道は太陽の約１０５分の１。
太陽の軌道は５．２６×１０−１４ｍから３．５７×１０−１８ｍであるから、この中間を取って、４．４×１０−１６ｍとすると、中性子星の軌道は、
４．４×１０−１６ｍ÷１０５＝４．４×１０−２１ｍである。
３０  陽子のラブができた軌道エネルギーはどれくらいか。
陽子のラブのエネルギーは陽子のエネルギーである。
陽子のラブは１．５×１０−１０Ｊの軌道でできた。
軌道は、１．１×１０−４１Ｊ・ｍ÷（１．５×１０−１０Ｊ）＝７．３３×１０−３２ｍである。
３１  電子のラブができた軌道エネルギーはどれくらいか。
電子のラブのエネルギーは電子のエネルギーである。
電子のラブは８×１０−１４Ｊの軌道でできた。
軌道は、１．１×１０−４１Ｊ・ｍ÷（８×１０−１４Ｊ）＝１．３７５×１０−２８ｍである。
３２  ビッグバンはどうしておきたか。
電子のラブが陽子のラブの周囲を回転したのでおきた。
３３  ビッグバンの軌道はどれくらいか。
ビッグバンの軌道エネルギーは電子のラブができた軌道エネルギーである。
８×１０−１４Ｊで、１．３７５×１０−２８ｍである。
３４  ビッグバンを肉眼で見ると、何光年のところに見られるか。
ビッグバンの軌道エネルギーは、８×１０−１４Ｊで１．３７５×１０−２８ｍであるから、ビッグバンから出発する磁気の光子のエネルギーは、（もしあったらの話である。）８×１０−１４Ｊである。
これが肉眼でみえるとすると、その場所は何光年離れたところに見えるか。
Ｔ光年離れたところに見えるとする。
８×１０−１４Ｊ×５×１０−１２÷Ｔ＝６．６×１０−３５Ｊ  Ｔ＝６０．６×１０８光年のところに見られる。
６０．６億光年の所に見られる。
３５  磁気の光子はいつ、どのようにできたか。磁気の光子はどのようししてできるか。
磁気の光子の発生原理。
磁気の光子はラブの回転によってできる。陽子のラブの回転によってできる。電子のラブの回転によってできる。陽子のラブの回転によってできる磁気の光子は、陽子のラブの回転をクロス回転する。電子のラブの回転によってできた磁気の光子は、電子のラブの回転をクロス回転する。
陽子のラブの存在によって、陽子のラブの磁気の光子ができたのではなく、陽子のラブの回転によってできた。
電子のラブの存在によって、電子のラブの磁気の光子ができたのではなく、電子のラブの回転によってできた。
７．３３×１０−３２ｍの軌道の場で、陽子のラブは存在したけれど、この場では自転だけである。
１．３７５×１０−２８ｍの軌道の場で、電子のラブは存在したけれど、この場では自転だけである。
軌道が大きくなり、初めて陽子のラブは回転し、電子のラブは回転することができた。
ビッグバン以前、陽子のラブが回転し、陽子のラブの磁気の光子ができた。
軌道が大きくなったので、電子のラブが回転し、磁気の光子ができた。これは現在、背景放射となっている磁気の光子である。
陽子の磁気の光子の引力によって、電子のラブが引き寄せられた。
そして、電子のラブが陽子のラブの周囲を回転した。
インフレーションで、電子のラブが陽子のラブの周囲を回転し、原子ができた時、電子のラブの周囲をクロス回転する磁気の光子ができた。この磁気の光子は安定である。
インフレーションで、電子のラブが回転したので、電子の磁気の光子ができた。
それで、インフレーションの時、磁気の光子は存在する。
３６  インフレーションでできた磁気の光子は現在どれ位の軌道エネルギーになっているか。
背景放射が２ｍｍであるから、軌道は１ｍｍである。
この磁気の光子のエネルギーは、１．１×１０−４１Ｊ・ｍ÷１０−３ｍ＝１．１×１０−３８Ｊである。
３７  インフレーションで出発した磁気の光子の軌道エネルギーはどれくらいか。
インフレーションを１５０億年前であるとすると、インフレーションで、磁気の光子は１５０億年走り続けて背景放射になり、１．１×１０−３８Ｊになった。
インフレーションで出発した磁気の光子の軌道エネルギーをＡとする。
Ａ×１．５８×１０−１２÷（１５０×１０８）＝１．１×１０−３８Ｊ  Ａ＝１．０４４×１０−１６Ｊ
この軌道は、１．１×１０−４１Ｊ・ｍ÷（１．０４４×１０−１６Ｊ）＝１．０５３６×１０−２５ｍである。
インフレーションで出発した磁気の光子のエネルギーは１．０４４×１０−１６Ｊで軌道は１．０５３６×１０−２５ｍである。
３８  インフレーションで軌道はどれくらい大きくなったか。
ビッグバンの軌道エネルギーは、８×１０−１４Ｊで１．３７５×１０−２８であり、
インフレーションでできた磁気の光子の軌道エネルギーは、１．０４４×１０−１６Ｊで１．０５３６×１０−２５ｍであるから、
エネルギーは、１．０４４×１０−１６Ｊ÷（８×１０−１４Ｊ）＝１．３０５×１０−３倍になった。
軌道は、１．０５３６×１０−２５ｍ÷（１．３７５×１０−２８ｍ）＝７．６６×１０２倍になった。
３９  インフレーション後、でできた原子の大きさはどれくらいか。
原子の大きさは、磁気の光子の大きさの２倍である。
原子の大きさは、２×１．０５３６×１０−２５ｍ＝２．１０７２×１０−２５ｍである。
磁気の光子ができた軌道は１．０５３６×１０−２５ｍの軌道である。
４０  ブラックホールはどうしてできたか。
ブラックホールはビッグバン後、インフレーションの場でできた。
ブラックホールができた軌道は１．５×１０−２５ｍである。
磁気の光子ができた後、最小の原子としてできた最初の原子がブラックホールの原子である。この原子をブラックホール原子と名づける。
ブラックホール原子の大きさは１．５×１０−２５ｍである。
４１  クエーサーはどうしてできたか。
クエーサーはブラックホール原子を中心にできた。
ブラックホール原子の中で、クロス回転する磁気の光子ができた。
ブラックホール原子の磁気の光子の軌道は、１．５×１０−２５ｍ÷２＝０．７５×１０−２５ｍであり、エネルギーは、１．１×１０−４１Ｊ・ｍ÷（０．７５×１０−２５ｍ）＝１．４７×１０−１６Ｊである。
この磁気の光子の引力によって次々原子は集まってきた。
そして輝かない銀河であるクエーサーができた。
クエーサーから出発した磁気の光子をスバル望遠鏡は捉えた。
４２  １４０億光年のクエーサーから出発する磁気の光子の軌道はどれくらいか。
この磁気の光子を、すばる望遠鏡が捉えた。
すばる望遠鏡の倍率を３．６×１０５倍とする。
クエーサーから出発する磁気の光子のエネルギーをＡとする。
Ａ×５×１０−１２÷（１４０×１０８）×３．６×１０５＝６．６×１０−３５Ｊ  Ａ＝５．１３×１０−１９Ｊ
この軌道は、１．１×１０−４１Ｊ・ｍ÷（５．１３×１０−１９Ｊ）＝２．１４×１０−２３ｍである。
４３  宇宙の軌道とそこに存在する磁気の光子の軌道エネルギーはどのような関係であるか。
宇宙の軌道をＢｍとすると、そこに存在する磁気の光子のエネルギーは、
１．１×１０−４１Ｊ÷Ｂである。
例えば１０−２３ｍの軌道の磁気のエネルギーは、１．１×１０−４１Ｊ÷１０−２３＝１．１×１０−１８Ｊである。
これで、宇宙の軌道と、その場の磁気の光子のエネルギーの地図ができる。
宇宙の距離と軌道エネルギーを磁気の光子の軌道エネルギーで、算出し、宇宙の軌道を知る。
すばるで捉える磁気の光子のエネルギーＡは、すばる望遠鏡の倍率を３．６×１０５倍とするとＡ×５×１０−１２÷Ｔ×３．６×１０５＝６．６×１０−３５Ｊである。
それで、Ｔ光年の磁気の光子のエネルギーは、
Ａ＝６．６×１０−３５÷５÷１０−１２×Ｔ÷３．６÷１０５＝３．６７×１０−２９Ｊ×Ｔであり、
その軌道は、
１．１×１０−４１Ｊ・ｍ÷（３．６７×１０−２９Ｊ×Ｔ）＝３×１０−１３÷Ｔ  ｍである。
例えば、１００億光年の磁気の光子のエネルギーＡは、
Ａ＝３．６７×１０−２９Ｊ×１０１０＝３．６７×１０−１９Ｊであり、
磁気の光子の軌道は、
３×１０−１３÷１０１０＝３×１０−２３である。
よって、１００億光年の軌道は３×１０−２３ｍである。
これは磁気の光子によって求めた宇宙の軌道である
それで、宇宙の軌道は、
１００億光年は３×１０−２３ｍ、１０億光年は３×１０−２２ｍ、１億光年は３×１０−２１ｍ、１０００万光年は３×１０−２０ｍ、１００万光年は３×１０−１９ｍ、１０万光年は３×１０−１８ｍ、１万光年は３×１０−１７ｍ、１０００光年は３×１０−１６ｍ、１００光年は３×１０−１５ｍ、１０光年は３×１０−１４ｍ、１光年は３×１０−１３ｍ、０光年は３×１０−１２ｍである。
１０ｎ光年の軌道は３×１０−１３−ｎｍである。
４４  宇宙の軌道と、軌道であった歴史について。
１宇宙の始まりは陽子のラブの存在である。その軌道は７．３×１０−３２ｍである。
陽子のラブが回転し、陽子の磁気の光子ができた。
２電子のラブができた。その軌道は１．３７５×１０−２８ｍである。
陽子の磁気の光子によって、電子のラブは陽子のラブに引かれ、陽子のラブの周囲を電子のラブが回転した。
ビッグバンがおきた．この軌道は１．３７５×１０−２８ｍである。
３電子のラブは回転し、電子の磁気の光子ができた。これが現在背景放射となっている。その軌道は１．０５３６×１０−２５ｍである。
最初、ブラックホール原子ができた。この軌道は１．５×１０−２５ｍである。
その後、原子ができた。陽子のラブの周囲を電子のラブが回転し、電子のラブの周囲を磁気の光子がクロス回転している。原子の中のクロス回転する磁気の光子は安定である。
ブラックホール原子を中心に原子が集まり、クエーサーができた。
１４０億光年のクエーサーが存在する軌道は２．１４×１０−２３ｍである。
４５  ビッグクランチはおきるか。
この宇宙の軌道で、おきた事柄が宇宙の歴史である。宇宙の歴史は軌道エネルギーの減少である。よってビッグクランチはおきない。
４６  ニュートリノとは何か。
ニユートリノは電気の光子である。
太陽から出発する電気の光子の軌道は５．２６×１０−１４ｍである。
そのエネルギーは、０．７５×１０−２５Ｊ・ｍ÷（５．２６×１０−１４）ｍ＝１．４２５×１０−１２Ｊである。
この電気の光子（＝ニユートリノ）は、約５００秒走って地球に到着するので、
到着するエネルギーは、１．４２５×１０−１２Ｊ×１．５８×１０−４÷５００＝４．５×１０−１９Ｊです。
太陽から出発した電気の光子（＝ニュートリノ）は、地球に到着したとき４．５×１０−１９Ｊになる。
太陽から出発したときは、１．４２５×１０−１２Ｊである。
４７  １９８７年２月２３日、１７万光年の大マゼラン銀河のある星が超新星爆発したとき、カミオカンデで発見されたニュートリノのエネルギーはどれくらいか。
大マゼラン銀河は宇宙のどの軌道であるかは解らない。離れている距離はわかってもその方向はビッグバンの方向であるとは限らない。
そして、星全体が爆発するのであるから、出発する軌道は星の外側だけからではない。出発する軌道は星のあらゆる軌道からである。
それで、出発した電気の光子の軌道を１０−１５ｍと仮定する。
１０−１５ｍの軌道の電気の光子のエネルギーは、０．７５×１０−２５Ｊ・ｍ÷１０−１５ｍ＝０．７５×１０−１０Ｊです。この電気の光子が出発しました。
１７万年走っている間に、エネルギーは、
０．７５×１０−１０Ｊ×５×１０−１２÷（１７×１０４）＝２．２×１０−２７Ｊになりました。
この電気の光子の軌道は、０．７５×１０−２５Ｊ・ｍ÷（２．２×１０−２７Ｊ）＝３４ｍです。
カミオカンデで、水の分子に衝突し、３４ｍのリング状の光子として現れました。
但し、出発した電気の光子の軌道により、到着する軌道も異なります。
１０−１６ｍの軌道から出発した電気の光子の場合は、３．４ｍです。
この事から、ニユートリノは電気の光子であることが解ります。
４８  筑波の高速加速器からカミオカンデに送られるニュートリノの軌道とエネルギーはどれ位か。
電子ニュートリノは電気の光子であるから，電子のラブの外側を回転している。その軌道は磁気の光子より小さい。磁気の光子は特性Ｘ線であるから、電気の光子はそれより軌道は小さい。
それで、仮に、電気の光子の軌道を１０−１１ｍとすると、そのエネルギーは、
０．７５×１０−２５Ｊ・ｍ÷１０−１１ｍ＝０．７５×１０−１４Ｊである。
走る距離は短いので考慮しない。
それで、カミオカンデに到着する電気の光子＝ニュートリノの軌道は１０−１１ｍであり、エネルギーは０．７５×１０−１４Ｊである。
仮に、出発した電気の光子の軌道を１０−１０ｍであるとすると、
カミオカンデに到着する電気の光子＝ニュートリノの軌道は１０−１０ｍであり、エネルギーは０．７５×１０−１５Ｊである。
４９  １クーロンでできる磁気の光子のエネルギーとマクロの軌道の関係はどうであるか。
磁気の光子１個が１回転でできるエネルギーとマクロの軌道の関係はどうであるか。
宇宙の軌道エネルギーはマクロの軌道が大きくなると小さくなる。
それは、クエーサーや銀河や星から出発する磁気の光子の軌道エネルギーによってわかる。
出発する磁気の光子の軌道エネルギーを、その場の磁気の光子の軌道エネルギーとし、
磁気の光子の軌道をその場の軌道とする。
▲１▼１クーロンでできる（約１０１９個の磁気の光子でできる）磁気の光子のエネルギーとマクロの軌道との関係。
【請求項４３】
に示したように、
１００億光年の軌道は３×１０−２３ｍである。
この軌道の磁気の光子のエネルギーは、３．６７×１０−１９Ｊである。
１クーロンの磁気の光子の数を１０１９個とすると、そのエネルギーは３．６７×１０−１９Ｊ×１０１９＝３．６７Ｊである。
それで、１００億光年の場で、１クーロンでできる磁気の光子の軌道エネルギーは、３．６７Ｊである。
１０ｎ光年の軌道は、３×１０−１３−ｎｍであり、磁気の光子１個のエネルギーは３．６７×１０−２９＋ｎＪである。
そして、１０１９個のエネルギーは、３．６７×１０−２９＋ｎ＋１９Ｊ＝３．６７×１０−１０＋ｎＪである。
マクロの軌道はビッグバンからの距離で示す。地球の点を半径１５０億光年とする。
１光年の距離をＲとする。Ｒｍ＝３６５×２４×６０×６０×３×１０８ｍ＝９．４６×１０１５ｍである。
地球のマクロの軌道は、２×１．５×１０１０×Ｒ・ｍである。
１光年のマクロの軌道は、２×１．５×１０９×Ｒ・ｍである。
１０ｎ光年のマクロの軌道は、２×１．５×１０９−ｎ×Ｒ・ｍである。
１００億光年のマクロの軌道は、２×１．５×１０９−１０×Ｒ・ｍである。
よって、１クーロンでできる磁気の光子の軌道エネルギー×マクロの軌道は、
１００億光年の場合、
３．６７×１０−１９Ｊ×１０１９×２×１．５×１０−１×Ｒ・ｍ＝１．１０１×Ｒ  Ｊ・ｍ＝１．１０１×９．４６×１０１５Ｊ・ｍ＝１．０４×１０１６Ｊ・ｍである。
１０ｎ光年の場合、
３．６７×１０−１０＋ｎＪ×２×１．５×１０９−ｎ×Ｒ・ｍ＝１．１０１×Ｒ  Ｊ・ｍ＝１．１０１×９．４６×１０１５Ｊ・ｍ＝１．０４×１０１６Ｊ・ｍである。
即ち、宇宙のマクロの軌道×１クーロンでできる磁気の光子のエネルギー  は一定である。
▲２▼マクロの軌道で、１個の磁気の光子が１回転でできる軌道エネルギーとマクロの軌道の関係。
マクロの軌道で、１個の磁気の光子が１回転してできるエネルギー×マクロの軌道  は、
１００億光年の場合、
３．６７×１０−１９Ｊ×２×１．５×１０−１×Ｒ・ｍ＝１．１０１×１０−１９×ＲＪ・ｍ＝１．１０１×１０−１９×９．４６×１０１５Ｊ・ｍ＝１．０４×１０−３Ｊ・ｍである。
１０ｎ光年の場合、
３．６７×１０−２９＋ｎＪ×２×１．５×１０９−ｎ×Ｒ・ｍ＝１．１０１×１０−１９×Ｒ  Ｊ・ｍ＝１．１０１×１０−１９×９．４６×１０１５Ｊ・ｍ＝１．０４×１０−３Ｊ・ｍである。
マクロの軌道で、１個の磁気の光子が１回転してできるエネルギー×マクロの軌道  は一定である。
宇宙のマクロの軌道で、１個の磁気の光子が１回転してできるエネルギー×宇宙の軌道  は一定である。
宇宙のマクロの軌道×エネルギーは一定である。
まとめを示す。
2004166499.tif 000004
５０  ミクロの場合とマクロの場合、軌道×軌道エネルギーの値はどれ位か。
ミクロの場合。
磁気の光子の軌道エネルギー＝１．１×１０−４１÷軌道であるから、
軌道×磁気の光子の軌道エネルギー＝１．１×１０−４１Ｊ・ｍである。
電気の光子の軌道エネルギー＝０．７５×１０−２５÷軌道であるから、
軌道×電気の光子の軌道エネルギー＝０．７５×１０−２５Ｊ・ｍである。
マクロの場合。
ｔ秒走った軌道の軌道エネルギーは、
（９×１０９）１／２×Ａ÷（ｔ×３×１０８×２）＝Ａ×１．５８×１０−４÷ｔであり、
マクロの軌道×軌道エネルギー＝９．４８７×１０４×ＡＪ・ｍである。
Ｔ光年走った軌道の軌道エネルギーは、
（９×１０９）１／２×Ａ÷（３６５×２４×６０×６０×Ｔ×２）＝Ａ×５×１０−１２÷Ｔであり、
マクロの軌道×軌道エネルギー＝９．４８７×１０４×ＡＪ・ｍである。
１０ｎ光年の場合、
マクロの軌道×磁気の光子１個が１回転してできるエネルギー＝１．０４×１０−３Ｊ・ｍである。
マクロの軌道×磁気の光子１０１９個が１回転してできるエネルギー＝１．０４×１０１６Ｊ・ｍである。
【発明の効果】
【０００６】  本発明によって、磁気の光子のミクロの軌道エネルギーとマクロの軌道エネルギーの関係が理解できた。これは、ミクロの磁気の光子の軌道エネルギーとマクロの磁気の光子の軌道エネルギーの統一である。
この事によって、宇宙から出発する磁気の光子と、距離と、到着する磁気の光子のエネルギーが理解できた。そして、背景放射が出発した軌道を理解できた。そこは磁気の光子ができた場である。ブラックホールの軌道を理解し、ブラックホールがどの軌道でできたか理解できた。その場でブラックホール原子ができ、それを中心に、その後の空間でできた原子が集まった。これがクエーサーである。太陽から出発する電気の光子の軌道エネルギーと地球に到着するニュートリノの軌道エネルギーの計算によって、ニュートリノは電気の光子であることが理解できた。
何より、磁気の光子の性質を理解できた。磁気の光子の質量エネルギーは変化する。導体を、磁気の光子は走ってエネルギーを作り、そのエネルギーは外に出て力となる。磁気の光子が走るという現象は自分のエネルギーをマクロの軌道エネルギーに適合させる現象である。磁気の光子は走って自分のエネルギーを減少させる。それで、出発した磁気の光子のエネルギーと走った時間と到着した磁気の光子のエネルギーの関係から、宇宙の軌道とその場の磁気の光子の軌道エネルギーが理解できた。宇宙の軌道とその場の、１個の磁気の光子が１回転してできるエネルギー×マクロの軌道が一定であることから、宇宙のマクロの軌道×エネルギーは一定であることが理解できた。
【図面の簡単な説明】
【図１】マクロの軌道を走った距離の２倍と考える場合。中央の軌道にはＡ×９．４８７×１０４の磁気の光子があり、走った分だけエネルギーは減少する。Ａ×９．４８７×１０４Ｊ÷（２×距離）になる。ｔ秒走って、Ａ×１．５８×１０−４÷ｔになる。Ｔ光年走って、Ａ×５×１０−１２÷Ｔになる。マクロの軌道を走った距離と考える場合。Ａ×９．４８７×１０４Ｊ÷距離になる。ｔ秒走って、Ａ×３．１６×１０−４÷ｔになる。Ｔ光年走って、Ａ×１０−１１÷Ｔになる。
【図２】導体を走るとき、電子のラブと電気の光子は電流の方向にらせん状に走る。磁気の光子は電流の方向にらせん状に走る。バネを伸ばした形で走る。軌道×２は波長になる。
【図３】１Ａの導体には、何個の磁気の光子が走っているか。１ｍの回転数×１回転でできる磁気の光子のエネルギー×磁気の光子の数＝４．４７２×１０４Ｊである。軌道をｙｍとする。１ｍ÷（２×ｙｍ）×１．１×１０−４１Ｊ・ｍ÷ｙｍ×ｘ＝４．４７２×１０−４Ｊ
【図４】１クーロンは何個の磁気の光子であるか。１秒間の回転数×１回転でできる磁気の光子のエネルギー×磁気の光子の数＝９．４８７×１０４Ｊ
【図５】発色のメカニズム。分子の外側を発色光の波長の１／２である軌道の磁気の光子が回転している。それより大きいエネルギーの磁気の光子が吸収される。次々吸収され、外側の磁気の光子が排斥され、放出する。放出した磁気の光子が目の分子に吸収され、神経を伝わり、脳の発色部の細胞の発色分子に吸収される。磁気の光子を吸収した発色分子はピカピカする。それが発色である。
【図６】肉眼で見える星から出発する磁気の光子のエネルギーは走って、地球に到着するとき、可視光になる。星から出発する磁気の光子のエネルギーをＡとする。ｔ秒走って、Ａ×１．５８×１０−４÷ｔ＝６．６×１０−３５Ｊになる。Ｔ光年走って、Ａ×５×１０−１２÷Ｔ＝６．６×１０−３５Ｊになる。
【図７】太陽から出発する磁気の光子のエネルギーをＡとすると、地球に到着する磁気の光子はエネルギーが大きい可視光であるから、Ａは、Ａ×１．５８×１０−４÷５００（秒）＝６．６×１０−３５Ｊ  Ａ＝２．０９×１０−２８Ｊである。軌道は５．２６×１０−１４ｍである。
【図８】太陽の中心部から出発する磁気の光子のエネルギーＡは２．３２秒走って、太陽から出発する磁気の光子のエネルギーになるから、Ａ×１．５８×１０−４÷２．３２＝２．０９×１０−２８Ｊ  Ａ＝３．０８×１０−２４Ｊである。軌道は３．７５×１０−１８ｍである。
【図９】▲１▼  太陽から惑星に到着する磁気の光子のエネルギー＝太陽から出発する磁気の光子のエネルギー×１．５８×１０−４÷｛走る距離÷（３×１０８）｝＝２．０８×１０−２８×１．５８×１０−４÷ｔである。▲２▼  惑星のの温度＝惑星に到着する磁気の光子のエネルギー÷地球に到着する磁気の光子のエネルギー×３００Ｋである。
【図１０】宇宙の軌道とその軌道でおきた事柄。７．３×１０−３２ｍの軌道で、陽子のラブが存在した。１．３７５×１０−２８ｍの軌道で、電子のラブが存在した。電子のラブの存在によってビッグバンがおきた。１．０５３６×１０−２５ｍの軌道で、磁気の光子ができた。この磁気の光子が背景放射の磁気の光子となっている。１．５×１０−２５ｍの軌道で、ブラックホール原子ができた。その後できた原子がブラックホール原子に集まり、クエーサーになった。２．１４×１０−２３ｍの軌道には１４０光年のクエーサーが存在した。
【図１１】▲１▼  宙の軌道とその軌道における磁気の光子のエネルギーは、すばるで捉えた磁気の光子を基本とすると、Ａ×５×１０−１２×３．６×１０５÷Ｔ＝６．６×１０−３５Ｊである。それで、Ａ＝３．６７×１０−２９×Ｔである。軌道は、軌道＝１．１×１０−４１÷（３．６７×１０−２９×Ｔ）＝３×１０−１３÷Ｔである。宇宙の軌道は磁気の光子の軌道である。宇宙の軌道が、３×１０−１３÷Ｔであるから、１０ｎ光年の軌道は、３×１０−１３−ｎである。その軌道の磁気の光子１個が１回転してできるエネルギーは、Ａ＝３．６７×１０−２９Ｊ×Ｔである。１０ｎ光年の軌道において、磁気の光子１個が１回転してできるエネルギーはＡ＝３．６７×１０−２９＋ｎＪである。磁気の光子が１０１９個でできるエネルギーはその１０１９倍である。▲２▼  マクロの軌道の大きさは、地球の点を１５０億光年とすると、地球のマクロの軌道は２×１．５×１０１０光年である。１光年をＲｍとする。１０ｎ光年のマクロの軌道の大きさは２×１．５×１０９−ｎ×Ｒｍである。▲３▼  マクロの軌道の大きさ×その場の磁気の光子１個のエネルギーは、１０ｎ光年の場合、２×１．５×１０９−ｎ×Ｒｍ×３．６７×１０−２９＋ｎＪ＝１．１０１×１０−１９×ＲＪ・ｍ＝１．０４×１０−３Ｊ・ｍであり、一定である。
【符号の説明】
１  出発点のエネルギー      ２  軌道      ３  導体      ４  電気の光子と電子のラブ      ５  磁気の光子      ６  １個の磁気の光子      ７  分子      ８  軌道は発色光の波長の１／２      ９  波長の小さな可視光＝大きなエネルギーの可視光      １０  外側の磁気の光子      １１  星      １２  星から出発する磁気の光子      １３  地球      １４  地球にたどり着く磁気の光子      １５  太陽      １６  太陽から出発する磁気の光子      １７  太陽の中心部      １８  太陽の中心部から出発する磁気の光子      １９  惑星      ２０  惑星に到着する磁気の光子      ２１  マクロの軌道
【図１】
2004166499.tif 000005
【図２】
2004166499.tif 000006
【図３】
2004166499.tif 000007
【図４】
2004166499.tif 000008
【図５】
2004166499.tif 000009
【図６】
2004166499.tif 000010
【図７】
2004166499.tif 000011
【図８】
2004166499.tif 000012
【図９】
2004166499.tif 000013
【図１０】
2004166499.tif 000014
【図１１】
2004166499.tif 000015